(57)【要約】  複数の酵素を有する洗剤組成物、特に多酵素共粒子を有する洗剤組成物、並びにかかる洗剤組成物の作製及び使用の方法が記載される。組成物はまた、低レベルのゼオライト及びリン酸塩ビルダー、並びに酵素間の相互作用を最小化するためのモイスチャーシンクを有する。【特許請求の範囲】
【請求項１】
洗剤組成物であって、
（ａ）多酵素共粒子、
（ｂ）１０重量％を下回るゼオライト（無水ベース）、
（ｃ）１０％を下回るリン酸塩（無水ベース）を含み、前記酵素共粒子が１０〜９８重量％のモイスチャーシンク成分を含み、
（ｄ）及び前記組成物が２０〜８０重量％の洗剤モイスチャーシンク成分を追加的に含む、洗剤組成物。
【請求項２】
前記多酵素共粒子が、（ａ）第１洗浄用リパーゼ、クリーニングセルラーゼ、キシログルカナーゼ、ペルヒドロラーゼ、ペルオキシダーゼ、リポキシゲナーゼ、ラッカーゼ、及びこれらの混合物から成る群から選択される１つ以上の酵素、並びに（ｂ）ヘミセルラーゼ、プロテアーゼ、ケアセルラーゼ、セロビオースデヒドロゲナーゼ、キシラナーゼ、ホスホリパーゼ、エステラーゼ、クチナーゼ、ペクチナーゼ、マンナナーゼ、ペクテートリアーゼ、ケラチナーゼ、レダクターゼ、オキシダーゼ、フェノールオキシダーゼ、リグニナーゼ、プルラナーゼ、タンナーゼ、ペントサナーゼ、リケナーゼ、グルカナーゼ、アラビノシダーゼ、ヒアルロニダーゼ、コンドロイチナーゼ、アミラーゼ、及びこれらの混合物から成る群から選択される１つ以上の酵素、を含む、請求項１に記載の洗剤組成物。
【請求項３】
前記多酵素共粒子がプロテアーゼ酵素を含む、請求項１又は２に記載の洗剤組成物。
【請求項４】
前記多酵素共粒子がリパーゼを含む、請求項１〜３のいずれか一項に記載の洗剤組成物。
【請求項５】
前記多酵素共粒子が、リパーゼとプロテアーゼを、重量比で少なくとも２：５から５：２まで、好ましくは２：５から１：１まで含む、請求項１〜４のいずれか一項に記載の洗剤組成物。
【請求項６】
前記洗剤モイスチャーシンク成分が、水和可能塩、好ましくは硫酸ナトリウムを含む、請求項１〜５のいずれか一項に記載の洗剤組成物。
【請求項７】
前記洗剤モイスチャーシンク成分を、少なくとも２５重量％、又は更には少なくとも３０重量％の量で含む、請求項１〜６のいずれか一項に記載の洗剤組成物。
【請求項８】
前記モイスチャーシンク成分及び前記活性酵素が、前記多酵素共粒子中に、４：１又は６：１又は８：１又は１０：１から１００：１又は６０：１又は４０：１までの重量比で存在する、請求項１〜７のいずれか一項に記載の洗剤組成物。
【請求項９】
前記多酵素共粒子が、二酸化チタン、ポリビニルアルコール、ヒドロキシプロピルメチルセルロース、メチルセルロース、ポリカルボン酸塩、カオリン、ポリエチレングリコール、及びこれらの混合物から成る群から選択されたコーティングを含む、請求項１〜８のいずれか一項に記載の洗剤組成物。
【請求項１０】
前記モイスチャーシンク成分が、好ましくは無水炭酸ナトリウムである炭酸ナトリウム、好ましくは０．１から１５重量％の自由水分、より好ましくは０．１から１０％の自由水分を含む乾燥粘土、好ましくは無水硫酸ナトリウムである硫酸ナトリウム、好ましくは無水塩化ナトリウムである塩化ナトリウム、０又は０．１％から１５％又は１０％の自由水分を含むバイオフィルター、及びこれらの混合物から成る群から選択される、請求項１〜９のいずれか一項に記載の洗剤組成物。
【請求項１１】
移染防止剤を追加的に含む、請求項１〜１０のいずれか一項に記載の洗剤組成物。
【請求項１２】
溶剤若しくは分散染料などの布地シェーディング染料、若しくは酸性染料若しくは直接染料、若しくはこれらの混合物、及び／若しくは顔料、又はこれらの混合物を追加的に含む、請求項１〜１１のいずれか一項に記載の洗剤組成物。
【請求項１３】
以下の付加物：
（ａ）香料を含む封入体であって、好ましくは香料マイクロカプセルを含む、封入体、
（ｂ）アニオン性界面活性剤及び非イオン性界面活性剤を、好ましくは２０：１から１：１０又は１：１の重量比にて含む、界面活性剤系、
（ｃ）好ましくは、ケイ酸ナトリウム、ケイ酸カリウム及びこれらの混合物からなる群から選択される物質を含む、ケイ酸塩、
（ｄ）好ましくは、マレエート／アクリレートランダムコポリマー又はポリアクリレートホモポリマー及びこれらの混合物からなる群から選択される物質を含む、カルボン酸塩ポリマー、
（ｅ）好ましくは、テレフタレートコポリマー及びこれらの混合物からなる群から選択される物質を含む、汚れ放出ポリマー、
（ｆ）好ましくは、アルキルセルロース、アルキルアルコキシアルキルセルロース、カルボキシアルキルセルロース、アルキルカルボキシアルキルセルロース及びこれらの混合物から選択される物質を含む、セルロース系ポリマー、
（ｇ）好ましくは、ＤＴＰＡ（ジエチレントリアミン五酢酸）、ＨＥＤＰ（ヒドロキシエタンジホスホン酸）、ＤＴＰＭＰ（ジエチレントリアミンペンタ（メチレンホスホン酸））、エチレンジアミン二コハク酸（ＥＤＤＳ）、１，２−ジヒドロキシベンゼン−３，５−ジスルホン酸二ナトリウム塩水和物からなる群から選択される物質を含む、キレート剤、前記キレート剤の誘導体、並びに、
（ｈ）これらの混合物、のうち１つ以上を含む、請求項１〜１２のいずれか一項に記載の洗剤組成物。
【請求項１４】
少なくとも２．５重量％、好ましくは少なくとも５重量％から３５重量％までの過炭酸ナトリウムを追加的に含み、前記過炭酸ナトリウムは必要に応じて水分から保護するためにコーティングされ、前記過炭酸ナトリウムは、
（ａ）好ましくは、イミニウムカチオン、イミニウムポリイオン、イミニウム双性イオン、修飾されたアミン、修飾されたアミン酸化物、Ｎ−スルホニルイミン、Ｎ−ホスホニルイミン、Ｎ−アシルイミン、チアジアゾールジオキシド、ペルフルオロイミン、環状糖ケトン及び遷移金属触媒、又は遷移金属触媒形成用配位子又はこれらの混合物から選択される物質を含む、漂白触媒、
（ｂ）好ましくは、ドデカノイルオキシベンゼンスルホネート、デカノイルオキシベンゼンスルホネート、デカノイルオキシ安息香酸又はその塩、３，５，５−トリメチルヘキサノイルオキシベンゼンスルホネート、テトラアセチルエチレンジアミン（ＴＡＥＤ）、ノナノイルオキシベンゼンスルホネート（ＮＯＢＳ）及びこれらの混合物から選択される物質を含む、漂白活性化剤、
（ｃ）金属触媒、
（ｄ）好ましくは亜鉛及び／又はアルミニウムフタロシアニン化合物である光漂白剤、食用赤色、エリトロシン、及び／又はローズベンガル、並びに、
（ｅ）これらの混合物、から成る群から選択された１つ以上の漂白粒子を必要に応じて追加的に含む、請求項１〜１３のいずれか一項に記載の組成物。
【請求項１５】
表面、好ましくは布地表面の処理及び／又はクリーニング方法であって、（ｉ）水性洗浄液中で前記表面を請求項１〜１１のいずれか一項に記載の組成物に接触させる工程と、（ｉｉ）前記表面をすすぐ及び／又は乾燥させる工程と、を含み、好ましくは前記水性液の温度が５〜２５℃であり、好ましくは前記水性液が０．１ｇ／Ｌ〜３ｇ／Ｌの界面活性剤を含む、方法。
【発明の詳細な説明】
【技術分野】
【０００１】
本発明は、複数の酵素を含む洗剤組成物、並びにその洗剤組成物の作製及び使用の方法に関する。
【背景技術】
【０００２】
特にエネルギー及び水などの天然資源に対する負荷が増加しており、石油化学製品の使用需要も成長を続けている。酵素を含む洗剤組成物は、何年も前から知られており、石油化学ベースの物質に大きく依存する必要性を減少させる一方で、特に低水量洗浄及び／又は低温洗浄において、洗剤による洗浄、ケア及び洗いたて感についての優れた利点を実現する機会を提供している。こうした処方アプローチには、何か月にもわたり保管しても安定であることが求められる製品について、一貫性のある優れた洗浄を、手頃な価格にて、いかにして提供するかに関連して、大きな課題が存在している。この課題は、世界の比較的温暖な地域において特に重大である。
【０００３】
ＩＰ．ｃｏｍにおける開示であるＩＰＣＯＭ０００２００７３９Ｄでは、１つの共粒子として結合させた２つ以上の酵素を加えることで、酵素粒子の均一な分布を改善できることが開示されている。その結果、各酵素はより多くの粒子中に存在するようになり、酵素の洗剤中でのより均一な分布が確実となる。これは、異なる粒径に起因する異なる酵素の物理的分離も減少させる。しかしながら、高温及び／又は多湿の条件下で保存される洗剤組成物においては、酵素共粒子中における酵素間の相互作用が、特に酵素のうちの１つがプロテアーゼである場合において、酵素活性を失わせる可能性がある。この課題は、含まれる代表的な強力ビルダー、すなわちゼオライト及びリン酸塩ビルダーが少量である洗剤組成物において、特に重要である。
【発明の概要】
【課題を解決するための手段】
【０００４】
本発明は、（ａ）多酵素共粒子、（ｂ）１０重量％を下回るゼオライト（無水ベース）、及び（ｃ）１０％を下回るリン酸塩（無水ベース）を含み、酵素共粒子が１０〜９８重量％のモイスチャーシンク成分を含み、及びその組成物が、２０〜８０重量％の洗剤モイスチャーシンク成分を追加的に含む、洗剤組成物に関する。
【０００５】
本発明は、更に、表面、好ましくは布地表面、の処理及び／又はクリーニング方法であって、（ｉ）水性洗浄液中でその表面を本明細書において請求及び記載する洗剤組成物に接触させる工程と、（ｉｉ）その表面をすすぐ及び／又は乾燥させる工程と、を含む方法に関する。好ましくは、その水性液の温度は５〜２５℃であり、好ましくは、その水性液は０．１ｇ／Ｌ〜３ｇ／Ｌの界面活性剤を含む。
【発明を実施するための形態】
【０００６】
用語の定義
本明細書で使用するとき、「洗剤組成物」とは、消費者及び企業向け製品を意味し、これは、洗浄及び／又は処理用の組成物、特に洗濯、食器洗浄、及び硬表面洗浄用の製品、無生物表面のケア及び洗浄用のその他のクリーナー及び洗浄システム、並びに布地のケア及びメンテナンスのために特に設計された布地コンディショナー製品及びその他の製品を含むが、これらに限定されない。このような洗剤組成物は、販売されている形態で使用又は消費されることが通常意図されている。これらの製品には、洗濯時及びすすぎ時添加剤、並びに／又は、床及び便器クリーナーを含むケア、硬表面洗浄、及び／又は処理が含まれる。好ましくは、本発明の組成物は、洗濯用又は食器洗浄用洗剤であり、最も好ましくは洗濯用洗剤である。典型的には、本発明の組成物は固形、すなわち粒状又は粉末状の形態であり、必要に応じて、一分画又は複数分画であり得る錠剤又はパウチなどの単位用量洗剤組成物に組み込まれることができる。しかしながら、本発明の組成物は液状、ゲル状又はペースト状の形態であってもよい。パウチにおいては、本発明の組成物は、水溶性フィルム内に存在する。パウチが複数分画である場合、本発明の組成物は、１つ以上の分画内に存在する。本発明に基づかない他の組成物が、複数分画パウチの他の１つ以上の分画に提供されてもよい。適用可能であるこのような製品の全ては、標準形態又は濃縮形態であり得、又は特定の態様では、このような製品は、更には非水性であり得る程度に高濃縮された形態であり得る。
【０００７】
本明細書で使用するとき、「ａ」及び「ａｎ」のような冠詞は、特許請求の範囲で使用されるときには、１つ以上の請求又は記載されるものを意味するものと理解される。本明細書で使用するとき、用語「包含する（include）」、「包含する（includes）」及び「包含している（including）」は、非限定的であるように意味される。本明細書で使用するとき、用語「固体」は、顆粒、粉末、塊、及び錠剤の製品形態を含む。別途記載のない限り、成分又は組成物の濃度は全て、当該成分又は組成物の活性部分に関するものであり、このような成分又は組成物の市販の供給源に存在し得る不純物、例えば残留溶媒又は副生成物は除外される。割合（％）及び比率は全て、別途記載のない限り重量で計算される。全ての割合（％）及び比率は、別途記載のない限り組成物全体を基準にして計算される。
【０００８】
多酵素共粒子
多酵素共粒子は、好ましくは、第１洗浄用リパーゼ、クリーニングセルラーゼ、キシログルカナーゼ、ペルヒドロラーゼ、ペルオキシダーゼ、リポキシゲナーゼ、ラッカーゼ、ヘミセルラーゼ、プロテアーゼ、ケアセルラーゼ、セロビオースデヒドロゲナーゼ、キシラナーゼ、ホスホリパーゼ、エステラーゼ、クチナーゼ、ペクチナーゼ、マンナナーゼ、ペクテートリアーゼ、ケラチナーゼ、レダクターゼ、オキシダーゼ、フェノールオキシダーゼ、リグニナーゼ、プルラナーゼ、タンナーゼ、ペントサナーゼ、リケナーゼ、グルカナーゼ、アラビノシダーゼ、ヒアルロニダーゼ、コンドロイチナーゼ、アミラーゼ、及びこれらの混合物から成る群から選択される少なくとも２つの酵素を含み、又は少なくとも３つ若しくは４つ以上の酵素を含む。好ましくは、共粒子は、（ａ）第１洗浄用リパーゼ、クリーニングセルラーゼ、キシログルカナーゼ、ペルヒドロラーゼ、ペルオキシダーゼ、リポキシゲナーゼ、ラッカーゼ、及びこれらの混合物を含む。群（ａ）において好ましい酵素は、第１洗浄用リパーゼである。加えて、共粒子は、好ましくは、（ｂ）ヘミセルラーゼ、プロテアーゼ、ケアセルラーゼ、セロビオースデヒドロゲナーゼ、キシラナーゼ、ホスホリパーゼ、エステラーゼ、クチナーゼ、ペクチナーゼ、マンナナーゼ、ペクテートリアーゼ、ケラチナーゼ、レダクターゼ、オキシダーゼ、フェノールオキシダーゼ、リグニナーゼ、プルラナーゼ、タンナーゼ、ペントサナーゼ、リケナーゼ、グルカナーゼ、アラビノシダーゼ、ヒアルロニダーゼ、コンドロイチナーゼ、アミラーゼ、及びこれらの混合物から成る群から選択される１つ以上の酵素を含む。好ましくは、共粒子は、プロテアーゼ酵素を含む。
【０００９】
共粒子は、例えば、少なくとも２つの酵素を含んでもよく、例えば、（ｉ）プロテアーゼ及びアミラーゼ、（ｉｉ）プロテアーゼ及びセルラーゼ、（ｉｉｉ）プロテアーゼ及び第１洗浄用リパーゼ、（ｉｖ）セルラーゼ及び第１洗浄用リパーゼ、（ｖ）アミラーゼ及びセルラーゼ、又は（ｖｉ）アミラーゼ及び第１洗浄用リパーゼが含まれる。あるいは、共粒子は、少なくとも３つの酵素を含んでもよく、例えば、（ｉ）プロテアーゼ、第１洗浄用リパーゼ及びセルラーゼ、（ｉｉ）プロテアーゼ、アミラーゼ及びセルラーゼ、（ｉｉｉ）プロテアーゼ、アミラーゼ及び第１洗浄用リパーゼ、（ｉｖ）第１洗浄用リパーゼ、アミラーゼ及びセルラーゼが含まれる。あるいは、共粒子は、少なくとも４つの酵素を含んでもよく、例えば、（ｉ）プロテアーゼ、アミラーゼ、第１洗浄用リパーゼ及びセルラーゼ、（ｉｉ）プロテアーゼ、アミラーゼ、第１洗浄用リパーゼ及びマンナナーゼが含まれる。
【００１０】
共粒子に組み込まれる全活性酵素タンパク質の量は、通常、洗剤組成物において０．２〜１．０重量％の活性酵素である。
【００１１】
モイスチャーシンク成分
モイスチャーシンク成分は、共粒子の１０〜９９重量％の量で共粒子中に存在する。好ましくは、本明細書において、モイスチャーシンク材料は、無水形態時に水を取り込んで水和することができ、より乾燥しているあるいはより高温の環境に置かれた際には、容易に水和水を放出することのできる材料であると理解される。好ましくは、本発明の組成物中で使用されるモイスチャーシンク材料は、無水形態と水和形態の間で少なくとも０．８ｇ／ｃｍ３、より好ましくは少なくとも１ｇ／ｃｍ３、及び特に少なくとも１．２ｇ／ｃｍ３の密度差を有する。この密度差が粒子を分解するメカニズムをもたらす、つまり、粉末の露点未満に粉末の温度が低下するにつれて水が凝縮する結果として、粒子結晶の液架橋が形成される。粒子間に結晶の液架橋を形成している水和材料は、冷却期間後に温度が上昇する（温度サイクルにおいて見られるように）につれて、無水（又はより水和されていない）形態に戻る。無水（又はより水和されていない）形態が伴うより高い結晶密度は、結晶容積の低下に起因してこれらの結晶の液架橋を分解するメカニズムをもたらす。このメカニズムは、低い温度の期間が粉末の構造に悪影響及び永続的な影響を及ぼすことのないようにし、組成物の良好な取り扱い性に貢献する。
【００１２】
好ましくは、モイスチャーシンク成分は、共粒子の３０、５０、又は更には６０重量％から、共粒子の９０又は９５重量％までの量で存在する。好適なモイスチャーシンク成分の例では、水分を吸収する能力を有する。好適なモイスチャーシンク成分は、好ましくは、（ａ）水和可能な塩、（ｂ）乾燥粘土、（ｃ）バイオフィルター、及び（ｄ）これらの混合物から成る群から選択される。水和可能な塩として有用であるのは、通常、ナトリウム、カルシウム、マグネシウムの塩であり、好ましくは、炭酸塩、塩化物塩、クエン酸塩、及び硫酸塩、並びにこれらの混合物である。無水炭酸ナトリウムが好ましい場合がある。軽質炭酸ナトリウムが好ましい場合がある。
【００１３】
好適な粘土の例は、タルク、方解石、カオリン、ドロマイト、及びベントナイトである。好ましい乾燥粘土は、自由水分で０．１〜２０重量％の含水量を有し、より好ましくは、自由水分で０．１〜１５重量％又は更には０．１〜１０重量％の含水量を有する。
【００１４】
バイオフィルターとして好適であるのは、任意の水溶性又は非水溶性の農業副産物である。水溶性の農業副産物の例は、国際公開第２００７／１４７６９８号に記載されている。好ましいバイオフィルターは、自由水分で０．１〜２０重量％の含水量を有し、より好ましくは、自由水分で０．１〜１５重量％、又は更には０．１〜１０重量％、又は更には５重量％の含水量を有する。
【００１５】
モイスチャーシンク成分の粒径については、好ましくは、モイスチャーシンク成分の粒子の少なくとも９０重量％が、７００マイクロメートルを下回る直径、又は更には５００若しくは３００若しくは２５０マイクロメートルを下回る直径、又は更には１００マイクロメートルを下回る直径を有する。
【００１６】
共粒子中におけるモイスチャーシンク成分と活性酵素タンパク質との重量比は、好ましくは、１０：１又は２０：１又は５０：１又は１０：１から、１００：１又は９０：１又は７５：１までである。
【００１７】
酵素共粒子
本明細書で用いるのに好適な酵素共粒子としては、以下のいずれかの技術により形成されるものが挙げられる。
ａ）噴霧乾燥製品（この製品では、噴霧乾燥塔内で液体酵素含有溶液が霧化されて小さい液滴を形成し、噴霧乾燥塔から落下している間に酵素を含有している粒子材料が形成される。この方法により、極小粒子を作製することができる（Ｍｉｃｈａｅｌ  Ｓ．Ｓｈｏｗｅｌｌ（ｅｄｉｔｏｒ）；Ｐｏｗｄｅｒｅｄ  ｄｅｔｅｒｇｅｎｔｓ；Ｓｕｒｆａｃｔａｎｔ  Ｓｃｉｅｎｃｅ  Ｓｅｒｉｅｓ；１９９８；ｖｏｌ．７１；ｐａｇｅ  １４０〜１４２；Ｍａｒｃｅｌ  Ｄｅｋｋｅｒ））。
ｂ）積層製品（この製品では、予め形成された不活性なコア粒子の周りに、酵素が層として被覆される。通常は流動層装置内で酵素含有溶液が霧化され、そこで予め形成されたコア粒子が流動することで、酵素含有溶液がコア粒子に付着し、乾燥した後に、乾燥した酵素の層がコア粒子の表面に残される。所望の大きさの有用なコア粒子が分かる場合には、この方法により所望の大きさの粒子を得ることができる。この種類の製品は、例えば国際公開第９７／２３６０６号に記載されている）。
ｃ）コア粒子に吸収させた製品（Absorbed core particles）（この製品では、酵素を層としてコアの周りに被覆するというよりも、酵素をコアの表面上及び／又はコア中に吸収させる。このような方法は、国際公開第９７／３９１１６号に記載されている）。
ｄ）押し出し又はペレット化製品（この製品では、酵素含有ペーストを圧縮してペレットにするか、圧力下で小さい開口部を通して押し出し、次いで粒子状に刻み、続いて乾燥させる。通常、押し出し開口部が製造された部材（通常、孔あきプレート）には、押し出し開口部にわたって生じる圧力低下に対する耐性に限界があることから、この場合、粒子は相当の大きさを有する。更に、小さな開口部を用いたときの非常に高い押し出し圧力が、酵素ペースト中に熱を生成し、これが酵素に有害となる（Ｍｉｃｈａｅｌ  Ｓ．Ｓｈｏｗｅｌｌ（ｅｄｉｔｏｒ）；Ｐｏｗｄｅｒｅｄ  ｄｅｔｅｒｇｅｎｔｓ；Ｓｕｒｆａｃｔａｎｔ  Ｓｃｉｅｎｃｅ  Ｓｅｒｉｅｓ；１９９８；ｖｏｌ．７１；ｐａｇｅ  １４０〜１４２；Ｍａｒｃｅｌ  Ｄｅｋｋｅｒ））。
ｅ）小球状製品（この製品では、酵素粉末が溶融ワックスに懸濁され、この懸濁液が冷却チャンバへと噴霧され（例えば回転ディスク式アトマイザーにより）、液滴が急速に固化する（Ｍｉｃｈａｅｌ  Ｓ．Ｓｈｏｗｅｌｌ（編）；Ｐｏｗｄｅｒｅｄ  ｄｅｔｅｒｇｅｎｔｓ；Ｓｕｒｆａｃｔａｎｔ  Ｓｃｉｅｎｃｅ  Ｓｅｒｉｅｓ；１９９８；ｖｏｌ．７１；ｐａｇｅ  １４０〜１４２；Ｍａｒｃｅｌ  Ｄｅｋｋｅｒ）。得られる製品では、酵素は不活性な材料の表面上に濃縮される代わりに、材料内に不均一に分配されている。同様に、米国特許第４，０１６，０４０号及び同第４，７１３，２４５号は、この技術に関する文書である）。
ｆ）造粒ミキサー製品（この製品では、酵素を含有している液体を、従来の造粒成分の乾燥粉末組成物に加える。好適な割合で液体と粉末を混合し、液体の湿分を乾燥粉末に吸収させるにつれて、乾燥粉末の成分は付着及び疑集し始めて粒子を構築し、酵素を含む粒剤を形成する。このような方法は米国特許第４，１０６，９９１号（ＮＯＶＯ  ＮＯＲＤＩＳＫ）及び関連する文書である欧州特許第１７０３６０（Ｂ１）号、同第３０４３３２（Ｂ１）号、同第３０４３３１号、国際公開第９０／０９４４０号及び同第９０／０９４２８号に記載されている。この方法に関する特定の製品では、様々な高剪断ミキサーを造粒機として使用することができ、酵素、充填剤及び結合剤などからなる粒剤を、セルロース繊維と混合することで粒子を補強し、いわゆるＴ粒剤を得ることかできる。補強された粒子はより丈夫になり、酵素屑（enzymatic dust）の放出が低下する）。
【００１８】
本発明の組成物での使用に好ましい酵素共粒子は、コアシェル構造を有する。好ましいコアシェルの実施形態では、コアは、好ましくは酵素が不含有である、中央部分を含み、周囲の層は酵素を含有し、かつシェルは複数の層を含み、最も外側の層は保護層となる。好ましい実施形態では、コアの中央部分と、シェルの層の少なくとも一層はモイスチャーシンク材料を含む。好ましくは、コアの中央部分は、粒子の総重量の１重量％〜６０重量％、より好ましくは３重量％〜５０重量％、及び特に５％重量％〜４０重量％に相当する。好ましくは、モイスチャーシンク材料を含む層は、粒子の総重量の０．５重量％〜４０重量％、より好ましくは１重量％〜３０重量％、及び特に３重量％〜２０重量％に相当する。好ましくは、最も外側の層は、ポリビニルアルコール、より好ましくは酸化チタン（美観的な理由のため）、特にこれらの混合物を含む。好ましくは、保護層は、粒子の総重量の０．０５重量％〜２０重量％、より好ましくは０．１重量％〜１５重量％、及び特に１重量％〜３重量％に相当する。酵素粒剤は、更に、酸化防止剤、染料、活性剤、溶解剤、結合剤などの補助物質を含んでもよい。この実施形態による酵素は、米国特許第５，３２４，６４９号、同第６，６０２，８４１  Ｂ１号、及び米国特許出願第２００８／０２０６８３０（Ａ１）号に記載するものに類似する流動層レイヤリングの方法によって製造することができる。
【００１９】
本実施形態の酵素はまた、方法の組み合わせによっても製造することができる。このような酵素共粒子は、酵素を不含であり得る、あるいは酵素を含有し得るコア（好ましくはモイスチャーシンク材料を含み、より好ましくは硫酸ナトリウムを含む）の周りに形成され、コアはミキサー造粒機又は押出成形機のいずれかの使用を含む、様々な方法を用いて製造できる。次いでコアは流動層法で処理され、この方法で酵素がコア上に噴霧される。次いでコアは層（好ましくはモイスチャーシンク材料、より好ましくは硫酸ナトリウムを含む）により被覆され、最終的にはヒドロキシプロピルメチルセルロース及び／若しくはポリビニルアルコール並びにそれらの誘導体（所望により更に二酸化チタンも含有する）、ポリエチレングリコール及び／若しくはカオリン、又はこれらの任意の混合物を含む群から選択されるポリマーで被覆される。本明細書で用いるのに好適な酵素粒剤製造方法は、米国特許第６，３４８，４４２（Ｂ２）号、米国特許出願第２００４／００３３９２７（Ａ１）号、米国特許第７，２７３，７３６号、国際公開第００／０１７９３号、米国特許第６，２６８，３２９（Ｂ１）号、及び米国特許出願第２００８／０２０６８３０（Ａ１）号に記載されている。好ましくは、粒剤は、粒剤の約３０重量％〜約７５重量％、好ましくは約４０重量％〜約５０重量％のモイスチャーシンク材料を含み、モイスチャーシンク材料は、硫酸ナトリウム、クエン酸ナトリウム及びこれらの混合物を含む群から選択され、好ましくは、硫酸ナトリウムである。
【００２０】
好ましくは、酵素共粒子は、約２００μｍ〜約１２００μｍ、より好ましくは約３００μｍ〜約１０００μｍ、及び特に約４００μｍ〜約６００μｍの重量幾何平均粒径を有する。
【００２１】
共粒子に加えて、本発明の組成物は、１０重量％を下回るゼオライト（無水ベース）、より好ましくは７又は５、又は更には３重量％を下回るゼオライトを含む。ゼオライトは、更に、本発明の洗剤組成物において全く使用しないこともできる。
【００２２】
共粒子に加えて、本発明の組成物は、１０重量％を下回るリン酸塩（無水ベース）、より好ましくは７又は５、又は更には３重量％を下回るリン酸塩を含む。リン酸塩は、更に、本発明の洗剤組成物において全く使用しないこともできる。
【００２３】
加えて、本発明の組成物は、２０重量％〜８０重量％の洗剤モイスチャーシンク、好ましくは、２５又は３０又は３５又は４０重量％〜７５重量％の洗剤モイスチャーシンクを含む。好適な洗剤モイスチャーシンク成分は、水分を吸収する能力を有し、（ａ）水和可能な硫酸塩、（ｂ）乾燥粘土、（ｃ）バイオフィルター、及び（ｄ）これらの混合物から成る群から選択される。有用な塩は、典型的には、水和可能なナトリウム、カルシウム、マグネシウムの硫酸塩及びこれらの混合物である。硫酸ナトリウムは、特に好ましく、最も好ましいのは、その無水形態である。ライトソルトも好ましい場合がある。
【００２４】
好適な粘土の例は、タルク、方解石、カオリン、ドロマイト、及びベントナイトである。好ましい乾燥粘土は、自由水分で０．１〜２０重量％の含水量を有し、より好ましくは、自由水分で０．１〜１５重量％又は更には０．１〜１０重量％の含水量を有する。
【００２５】
バイオフィルターとして好適であるのは、任意の水溶性又は非水溶性の農業副産物である。水溶性の農業副産物の例は、国際公開第２００７／１４７６９８号に記載されている。好ましいバイオフィルターは、自由水分で０．１〜２０重量％の含水量を有し、より好ましくは、自由水分で０．１〜１５重量％、又は更には０．１〜１０重量％、又は更には５重量％の含水量を有する。
【００２６】
硫酸ナトリウムは、最も好ましい洗剤モイスチャーシンク成分である。
【００２７】
洗剤モイスチャーシンク成分は、他の洗剤添加成分に乾燥添加してもよく、若しくは凝集粉末若しくはブロー粉末（噴霧乾燥方法により形成された微粒子）などの予め形成された粒子を通じて洗剤組成物に組み込まれてもよく、又はこれらの手段の混合物を通じて含めてもよい。好ましい組成物においては、洗剤モイスチャーシンク成分は、少なくとも８０重量％、又は更には少なくとも９０重量％、又は更には少なくとも９５重量％の洗剤モイスチャーシンクで構成される、乾燥添加された微粒子成分として、及びブロー粉末を基準としたときに１５〜７０重量％、又は２０〜６０重量％の洗剤モイスチャーシンク成分で構成されるブロー粉末を通じて、洗剤組成物に組み込まれる。典型的には、モイスチャーシンク成分は、凝集粒子及び／又はブロー粒子を通じて含められ、この粒子は、粒子の重量を基準としたときに少なくとも１０重量％の界面活性剤を含む。本発明の特に好ましい成分においては、その成分には、乾燥添加された硫酸ナトリウム並びにブロー粉末及び／又は凝集粉末が含まれ、好ましくは硫酸ナトリウムを含むブロー粉末が含まれる。
【００２８】
本発明の好ましい態様によると、洗剤組成物は、移染防止剤及び／又は布地色相剤を追加的に含む。
【００２９】
補助物質
本発明の洗剤組成物は、１つ以上の（洗剤）補助物質を含んでいてもよい。これらは、洗浄する基質の処理に関して、洗浄性能を向上させることができ、又は例えば香水、スペックル、着色剤、染料などと同様に、組成物の美的側面に変化を与えることができる。本発明の組成物、布地ケア製品及びホームケア製品に含められるこれらの補助物質の濃度は、組み込みのために前述したあらゆる物質に追加的なものである。これらの追加の成分の正確な性質、及びこれらの組み込み濃度は、消費者製品の物理形態、並びに、消費者製品が使用されるクリーニング操作の性質に依存して決まる。好適な補助物質としては、限定するものではないが、界面活性剤、ビルダー、キレート剤、移染防止剤、分散剤、酵素及び酵素安定剤、触媒物質、漂白活性化剤、過酸化水素、過酸化水素源、予備形成済み過酸、ポリマー分散剤、粘土汚れ除去／再付着防止剤、増白剤、泡抑制剤、染料、色相染料、香料、香料送達系、構造伸縮性付与剤、柔軟仕上げ剤、担体、屈水性誘発物質、加工助剤、溶媒、及び／又は顔料が挙げられる。好適な補助物質の例を、以下に記載する。下記開示に加えて、このような他の補助の好適な例、及び使用濃度は、米国特許第５，５７６，２８２号、同第６，３０６，８１２（Ｂ１）号及び同第６，３２６，３４８（Ｂ１）号に見られ、これらは参照により組み込まれる。
【００３０】
布地色相剤：組成物は、布地色相剤を含み得る。好適な布地色相剤は、染料、染料−粘土結合体、及び顔料が含まれる。好適な染料には、小分子染料及びポリマー染料が挙げられる。好適な小分子染料には、ダイレクトブルー、ダイレクトレッド、ダイレクトバイオレット、アシッドブルー、アシッドレッド、アシッドバイオレット、ベーシックブルー、ベーシックバイオレット、及びべーシックレッド、又はこれらの混合物のカラーインデックス（Ｃ．Ｉ．）分類に区分される染料からなる群から選択される小分子染料が挙げられる。
【００３１】
別の態様では、好適な小分子染料には、カラーインデックス（Ｓｏｃｉｅｔｙ  ｏｆ  Ｄｙｅｒｓ  ａｎｄ  Ｃｏｌｏｕｒｉｓｔｓ（Ｂｒａｄｆｏｒｄ，ＵＫ））番号で、ダイレクトバイオレット９、ダイレクトバイオレット３５、ダイレクトバイオレット４８、ダイレクトバイオレット５１、ダイレクトバイオレット６６、ダイレクトバイオレット９９、ダイレクトブルー１、ダイレクトブルー７１、ダイレクトブルー８０、ダイレクトブルー２７９、アシッドレッド１７、アシッドレッド７３、アシッドレッド８８、アシッドレッド１５０、アシッドバイオレット１５、アシッドバイオレット１７、アシッドバイオレット２４、アシッドバイオレット４３、アシッドレッド５２、アシッドバイオレット４９、アシッドブルー１５、アシッドブルー１７、アシッドブルー２５、アシッドブルー２９、アシッドブルー４０、アシッドブルー４５、アシッドブルー７５、アシッドブルー８０、アシッドブルー８３、アシッドブルー９０、及びアシッドブルー１１３、アシッドブラック１、ベーシックバイオレット１、ベーシックバイオレット３、ベーシックバイオレット４、ベーシックバイオレット１０、ベーシックバイオレット３５、ベーシックブルー３、ベーシックブルー１６、ベーシックブルー２２、ベーシックブルー４７、ベーシックブルー６６、ベーシックブルー７５、ベーシックブルー１５９並びにこれらの混合物からなる群から選択される小分子染料が含まれる。別の一態様において、好適な小分子染料には、カラーインデックス（Ｓｏｃｉｅｔｙ  ｏｆ  Ｄｙｅｒｓ  ａｎｄ  Ｃｏｌｏｕｒｉｓｔｓ（Ｂｒａｄｆｏｒｄ，ＵＫ））番号で、アシッドバイオレット１７、アシッドバイオレット４３、アシッドレッド５２、アシッドレッド７３、アシッドレッド８８、アシッドレッド１５０、アシッドブルー２５、アシッドブルー２９、アシッドブルー４５、アシッドブルー１１３、アシッドブラック１、ダイレクトブルー１、ダイレクトブルー７１、ダイレクトバイオレット５１、及びこれらの混合物からなる群から選択される小分子染料が挙げられる。別の一態様において、好適な小分子染料には、カラーインデックス（Ｓｏｃｉｅｔｙ  ｏｆ  Ｄｙｅｒｓ  ａｎｄ  Ｃｏｌｏｕｒｉｓｔｓ（Ｂｒａｄｆｏｒｄ，ＵＫ））番号で、アシッドバイオレット１７、ダイレクトブルー７１、ダイレクトバイオレット５１、ダイレクトブルー１、アシッドレッド８８、アシッドレッド１５０、アシッドブルー２９、アシッドブルー１１３、又はこれらの混合物からなる群から選択される小分子染料が挙げられる。
【００３２】
好適なポリマー染料としては、共役色原体を含むポリマー（染料−ポリマー共役体）、ポリマーの骨格に共重合した色原体を有するポリマー、及びこれらの混合物からなる群から選択されるポリマー染料が挙げられる。
【００３３】
別の態様では、適切なポリマー染料としては、Ｌｉｑｕｉｔｉｎｔ（登録商標）（Ｍｉｌｌｉｋｅｎ（Ｓｐａｒｔａｎｂｕｒｇ，Ｓｏｕｔｈ  Ｃａｒｏｌｉｎａ，ＵＳＡ））の名称で市販されている布地直接着色剤、及び少なくとも１つの反応染料と、ヒドロキシル部分、一級アミン部分、２級アミン部分、チオール部分、及びこれらの混合物からなる群から選択される部分を含むポリマーからなる群から選択されるポリマーとから形成されている染料−ポリマー共役体が挙げられる。更に別の態様では、好適なポリマー染料としては、リキティント（Liquitint）（登録商標）（Ｍｉｌｌｉｋｅｎ（Ｓｐａｒｔａｎｂｕｒｇ，Ｓｏｕｔｈ  Ｃａｒｏｌｉｎａ，ＵＳＡ））バイオレットＣＴ、リアクティブブルー、リアクティブバイオレット、又はリアクティブレッド染料で共役されているカルボキシメチルセルロース（ＣＭＣ）、例えば、Ｍｅｇａｚｙｍｅ（Ｗｉｃｋｌｏｗ，Ｉｒｅｌａｎｄ）からＡＺＯ−ＣＭ−セルロースの商品名、商品コードＳ−ＡＣＭＣで市販されているＣ．Ｉ．リアクティブブルー１９で共役されているＣＭＣ、アルコキシル化トリフェニール−メタン重合着色料、アルコキシル化チオフェン重合着色料、及びこれらの混合物から成る群から選択されるポリマー染料が挙げられる。
【００３４】
好適な染料粘土共役体には、少なくとも１種のカチオン性／塩基性染料及びスメクタイト粘土、並びにこれらの混合物からなる群から選択される染料粘土共役体が挙げられる。別の態様では、好適な染料粘土共役体としては、以下のＣ．Ｉ．からなる群から選択される１つのカチオン性／塩基性染料からなる群から選択される染料粘土共役体が挙げられる：ベーシックイエロー１〜１０８、Ｃ．Ｉ．ベーシックオレンジ１〜６９、Ｃ．Ｉ．ベーシックレッド１〜１１８、Ｃ．Ｉ．ベーシックバイオレット１〜５１、Ｃ．Ｉ．ベーシックブルー１〜１６４、Ｃ．Ｉ．ベーシックグリーン１〜１４、Ｃ．Ｉ．ベーシックブラウン１〜２３、ＣＩベーシックブラック１〜１１、及びモンモリロナイト粘土、ヘクトライト粘土、サポナイト粘土、及びそれらの組み合わせからなる群から選択される粘土。また別の態様では、好適な染料粘土共役体としては、モンモリロナイトベーシックブルーＢ７  Ｃ．Ｉ．４２５９５共役体、モンモリロナイトベーシックブルーＢ９  Ｃ．Ｉ．５２０１５共役体、モンモリロナイトベーシックバイオレットＶ３  Ｃ．Ｉ．４２５５５共役体、モンモリロナイトベーシックグリーンＧ１  Ｃ．Ｉ．４２０４０共役体、モンモリロナイトベーシックレッドＲ１  Ｃ．Ｉ．４５１６０共役体、モンモリロナイトＣ．Ｉ．ベーシックブラック２共役体、ヘクトライトベーシックブルーＢ７  Ｃ．Ｉ．４２５９５共役体、ヘクトライトベーシックブルーＢ９  Ｃ．Ｉ．５２０１５共役体、ヘクトライトベーシックバイオレットＶ３  Ｃ．Ｉ．４２５５５共役体、ヘクトライトベーシックグリーンＧ１  Ｃ．Ｉ．４２０４０共役体、ヘクトライトベーシックレッドＲ１  Ｃ．Ｉ．４５１６０共役体、ヘクトライトＣ．Ｉ．ベーシックブラック２共役体、サポナイトベーシックブルーＢ７  Ｃ．Ｉ．４２５９５共役体、サポナイトベーシックブルーＢ９  Ｃ．Ｉ．５２０１５共役体、サポナイトベーシックバイオレットＶ３  Ｃ．Ｉ．４２５５５共役体、サポナイトベーシックグリーンＧ１  Ｃ．Ｉ．４２０４０共役体、サポナイトベーシックレッドＲ１  Ｃ．Ｉ．４５１６０共役体、サポナイトＣ．Ｉ．ベーシックブラック２共役体及びこれらの混合物、からなる群から選択される染料粘土共役体が挙げられる。
【００３５】
好適な顔料としては、フラバントロン、インダントロン、１〜４個の塩素原子を有する塩素化インダントロン、ピラントロン、ジクロロピラントロン、モノブロモジクロロピラントロン、ジブロモジクロロピラントロン、テトラブロモピラントロン、ペリレン−３，４，９，１０−テトラカルボン酸ジイミド（イミド基は置換されていないか、あるいは、Ｃ１〜Ｃ３−アルキル若しくはフェニル又は複素環式ラジカルで置換されていてもよく、このフェニル及び複素環式ラジカルは更に、水への溶解性を付与しない置換基を有していてもよい）、アントラピリミジンカルボン酸アミド、ビオラントロン、イソビオラントロン、ジオキサジン顔料、銅フタロシアニン（１分子当たり２個以下の塩素原子を有していてもよい）、ポリクロロ−銅フタロシアニン、又はポリブロモクロロ−銅フタロシアニン（１分子当たり１４個以下の臭素原子を有する）、及びこれらの混合物からなる群から選択される顔料が挙げられる。
【００３６】
別の態様では、好適な顔料としてはウルトラマリンブルー（Ｃ．Ｉ．ピグメントブルー２９）、ウルトラマリンバイオレット（Ｃ．Ｉ．ピグメントバイオレット１５）、及びこれらの混合物から成る群から選択される顔料が挙げられる。
【００３７】
上記の布地色調剤は、組み合わせて使用することができる（布地色調剤の任意の混合物を使用することができる）。好適な布地色調剤は、Ａｌｄｒｉｃｈ（Ｍｉｌｗａｕｋｅｅ，Ｗｉｓｃｏｎｓｉｎ，ＵＳＡ）、Ｃｉｂａ  Ｓｐｅｃｉａｌｔｙ  Ｃｈｅｍｉｃａｌｓ（Ｂａｓｅｌ，Ｓｗｉｔｚｅｒｌａｎｄ）、ＢＡＳＦ（Ｌｕｄｗｉｇｓｈａｆｅｎ，Ｇｅｒｍａｎｙ）、Ｄａｙｇｌｏ  Ｃｏｌｏｒ  Ｃｏｒｐｏｒａｔｉｏｎ（Ｍｕｍｂａｉ，Ｉｎｄｉａ）、Ｏｒｇａｎｉｃ  Ｄｙｅｓｔｕｆｆｓ  Ｃｏｒｐ．（Ｅａｓｔ  Ｐｒｏｖｉｄｅｎｃｅ，Ｒｈｏｄｅ  Ｉｓｌａｎｄ，ＵＳＡ）、Ｄｙｓｔａｒ（Ｆｒａｎｋｆｕｒｔ，Ｇｅｒｍａｎｙ）、Ｌａｎｘｅｓｓ（Ｌｅｖｅｒｋｕｓｅｎ，Ｇｅｒｍａｎｙ）、Ｍｅｇａｚｙｍｅ（Ｗｉｃｋｌｏｗ，Ｉｒｅｌａｎｄ）、Ｃｌａｒｉａｎｔ（Ｍｕｔｔｅｎｚ，Ｓｗｉｔｚｅｒｌａｎｄ）、Ａｖｅｃｉａ（Ｍａｎｃｈｅｓｔｅｒ，ＵＫ）から購入することができ、及び／又は、本明細書に含まれている実施例に従って製造することができる。好適な色調剤は、米国特許第７，２０８，４５９（Ｂ２）号に詳細が記述されている。
【００３８】
カプセル剤：組成物はカプセル剤を含み得る。一態様では、カプセル剤は、コア、内面及び外面を有するシェルを含み、該シェルは、該コアをカプセル化する。
【００３９】
このカプセルの一態様では、このコアは、香料、増白剤、染料、防虫剤、シリコーン、ワックス、香味料、ビタミン、布地用柔軟剤、スキンケア剤、一態様ではパラフィン、酵素、抗菌剤、漂白剤、感覚剤、及びこれらの混合物なる群から選択される材料を含むことができ、並びにこのシェルは、ポリエチレン、ポリアミド、ポリスチレン、ポリイソプレン、ポリカーボネート、ポリエステル、ポリアクリレート、アミノ樹脂（一態様では、アミノ樹脂は、ポリウレア、ポリウレタン、及び／又はポリウレアウレエタンを含んでもよく、一態様では、該ポリウレアは、ポリオキシメチレンウレア及び／又はメラミンホルムアルデヒドを含み得る）、ポリオレフィン、多糖（一態様では、該多糖はアルギネート及び／又はキトサンを含み得る）、ゼラチン、セラック、エポキシ樹脂、ビニルポリマー、水溶性無機物、シリコーン、及びこれらの混合物からなる群から選択される材料を含むことができる。このカプセルの一態様では、このコアは香料を含んでよい。このカプセルの一態様では、このシェルはメラミンホルムアルデヒド、及び／又は架橋したメラミンホルムアルデヒドを含んでよい。
【００４０】
一態様では、コア材料及びシェルを含むことができ、このシェルがこのコア材料を少なくとも部分的に取り囲む、好適なカプセルが開示される。このカプセルの少なくとも７５％、８５％、又は更には９０％は、約０．２ＭＰａ〜約１０ＭＰａ、約０．４ＭＰａ〜約５ＭＰａ、約０．６ＭＰａ〜約３．５ＭＰａ、又は更には約０．７ＭＰａ〜約３ＭＰａの破壊強度、並びに０％〜約３０％、０％〜約２０％、又は更には０％〜約５％の有益剤漏出率を有し得る。一態様では、このカプセルの少なくとも７５％、８５％、又は更には９０％は、約１マイクロメートル〜約８０マイクロメートル、約５マイクロメートル〜６０マイクロメートル、約１０マイクロメートル〜約５０マイクロメートル、又は更には約１５マイクロメートル〜約４０マイクロメートルの粒径を有し得る。一態様では、一態様では、このカプセルの少なくとも７５％、８５％、又は更には９０％は、約３０ｎｍ〜約２５０ｎｍ、約８０ｎｍ〜約１８０ｎｍ、又は更には約１００ｎｍ〜約１６０ｎｍの粒子壁厚を有し得る。
【００４１】
一態様では、前記カプセルのコア材料は、香料原料、並びに／又は、任意追加的に、植物油（純粋な及び／又はブレンドされた植物油（ヒマシ油（caster oil）、ココナッツ油、綿実油、ブドウ油、菜種、大豆油、コーン油、パーム油、亜麻仁油、ベニバナ油、オリーブ油、ピーナッツ油、ココナッツ油、パーム核油、ヒマシ油（castor oil）、レモン油、及びこれらの混合物を含む）を含む）；植物油のエステル、エステル（ジブチルアジパート、ジブチルフタレート、ブチルベンジルアジパート、ベンジルオクチルアジパート、トリクレシルホスフェート、トリオクチルホスフェート、及びこれらの混合物を含む）；直鎖若しくは分枝鎖炭化水素（約８０℃を超える沸点を有する直鎖若しくは分枝鎖炭化水素を含む）；部分水素化テルフェニル、ジアルキルフタレート、アルキルビフェニル（モノイソプロピルビフェニルを含む）、アルキル化ナフタレン（ジプロピルナフタレンを含む）、石油スピリット（ケロシン、鉱油、及びこれらの混合物を含む）；芳香族溶媒（ベンゼン、トルエン、及びこれらの混合物を含む）；シリコーン油、並びにこれらの混合物から成る群から選択される材料、から成る群から選択される材料を含んでもよい。
【００４２】
一態様では、このカプセルの壁材料は、アルデヒドとアミンの反応生成物などの好適な樹脂を含んでもよく、好適なアルデヒドとしてはホルムアルデヒドが挙げられる。好適なアミンとしては、メラミン、尿素、ベンゾグアナミン、グリコールウリル、及びこれらの混合物が挙げられる。好適なメラミンとしては、メチロールメラミン、メチル化メチロールメラミン、イミノメラミン及びこれらの混合物が挙げられる。好適な尿素としては、ジメチロール尿素、メチル化ジメチロール尿素、尿素−レゾルシノール、及びこれらの混合物が挙げられる。
【００４３】
一態様では、好適なホルムアルデヒドスカベンジャーは、封入体と共に、例えばカプセルスラリー中で用いても、及び／又は、封入体を消費者製品に加える前に、加えるときに、加えた後に、このような消費者製品に加えられてもよい。
【００４４】
好適なカプセル剤は、米国特許出願第２００８／０３０５９８２（Ａ１）号、及び／又は同第２００９／０２４７４４９（Ａ１）号の教示に従って製造することができる。あるいは、好適なカプセル剤は、Ａｐｐｌｅｔｏｎ  Ｐａｐｅｒｓ  Ｉｎｃ．（Ａｐｐｌｅｔｏｎ，Ｗｉｓｃｏｎｓｉｎ  ＵＳＡ）から購入することもできる。
【００４５】
加えて、前述のカプセル剤を製造するための材料は、Ｓｏｌｕｔｉａ  Ｉｎｃ．（Ｓｔ  Ｌｏｕｉｓ，Ｍｉｓｓｏｕｒｉ  Ｕ．Ｓ．Ａ．）、Ｃｙｔｅｃ  Ｉｎｄｕｓｔｒｉｅｓ（Ｗｅｓｔ  Ｐａｔｅｒｓｏｎ，Ｎｅｗ  Ｊｅｒｓｅｙ  Ｕ．Ｓ．Ａ．）、ｓｉｇｍａ−Ａｌｄｒｉｃｈ（Ｓｔ．Ｌｏｕｉｓ，Ｍｉｓｓｏｕｒｉ  Ｕ．Ｓ．Ａ．）、ＣＰ  Ｋｅｌｃｏ  Ｃｏｒｐ．（Ｓａｎ  Ｄｉｅｇｏ，Ｃａｌｉｆｏｒｎｉａ，ＵＳＡ）、ＢＡＳＦ  ＡＧ（Ｌｕｄｗｉｇｓｈａｆｅｎ，Ｇｅｒｍａｎｙ）、Ｒｈｏｄｉａ  Ｃｏｒｐ．（Ｃｒａｎｂｕｒｙ，Ｎｅｗ  Ｊｅｒｓｅｙ，ＵＳＡ）、Ｈｅｒｃｕｌｅｓ  Ｃｏｒｐ．（Ｗｉｌｍｉｎｇｔｏｎ，Ｄｅｌａｗａｒｅ，ＵＳＡ）、Ａｇｒｉｕｍ  Ｉｎｃ．（Ｃａｌｇａｒｙ，Ａｌｂｅｒｔａ，Ｃａｎａｄａ）、ＩＳＰ（Ｎｅｗ  Ｊｅｒｓｅｙ  Ｕ．Ｓ．Ａ．）、Ａｋｚｏ  Ｎｏｂｅｌ（Ｃｈｉｃａｇｏ，ＩＬ，ＵＳＡ）、Ｓｔｒｏｅｖｅｒ  Ｓｈｅｌｌａｃ  Ｂｒｅｍｅｎ（Ｂｒｅｍｅｎ，Ｇｅｒｍａｎｙ）、Ｄｏｗ  Ｃｈｅｍｉｃａｌ  Ｃｏｍｐａｎｙ（Ｍｉｄｌａｎｄ，ＭＩ，ＵＳＡ）、Ｂａｙｅｒ  ＡＧ（Ｌｅｖｅｒｋｕｓｅｎ，Ｇｅｒｍａｎｙ）、Ｓｉｇｍａ−Ａｌｄｒｉｃｈ  Ｃｏｒｐ．（Ｓｔ．Ｌｏｕｉｓ，Ｍｉｓｓｏｕｒｉ，ＵＳＡ）から入手することができる。
【００４６】
ポリマー：消費者製品は１つ以上のポリマーを含み得る。例には、カルボキシメチルセルロース、ポリ（ビニル−ピロリドン）、ポリ（エチレングリコール）、ポリ（ビニルアルコール）、ポリ（ビニルピリジン−Ｎ−オキシド）、ポリ（ビニルイミダゾール）、ポリアクリル酸塩等のポリカルボン酸塩、マレイン酸／アクリル酸コポリマー、及びメタクリル酸ラウリル／アクリル酸コポリマーがある。
【００４７】
消費者製品は、次の一般構造を有する化合物、又はその硫酸化若しくはスルホン化変異体のような１つ以上の両親媒性クリーニングポリマーを含んでいてもよい：ビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ｂｉｓ（（Ｃ２Ｈ５Ｏ）（Ｃ２Ｈ４Ｏ）ｎ）（式中、ｎは２０〜３０であり、ｘは３〜８である）。
【００４８】
消費者製品は、布地及び表面からグリース粒子を除去するように、親水性と疎水性の特性が釣り合っている両親媒性アルコキシル化グリース洗浄ポリマーを含み得る。本発明の両親媒性アルコキシル化グリース洗浄ポリマーの具体的な実施形態は、コア構造と、そのコア構造に結合した複数のアルコキシレート基と、を含む。これらは、好ましくは内側ポリエチレンオキシドブロック及び外側ポリプロピレンオキシドブロックを有するアルコキシル化ポリアルキレンイミンを含み得る。
【００４９】
カルボン酸塩ポリマー−本発明の洗剤組成物はまた、マレエート／アクリレートランダムコポリマー又はポリアクリレートホモポリマーなどのカルボン酸塩ポリマーを１つ以上含んでもよい。１つの態様において、カルボキシレートポリマーは、４，０００Ｄａ〜９，０００Ｄａ、又は６，０００Ｄａ〜９，０００Ｄａの分子量を有するポリアクリレートホモポリマーである。
【００５０】
汚れ放出ポリマー−本発明の洗剤組成物はまた、以下の構造（Ｉ）、（ＩＩ）又は（ＩＩＩ）の１つにより定義される構造を有する汚れ放出ポリマーを１つ以上含んでもよい。
（Ｉ）        −［（ＯＣＨＲ１−ＣＨＲ２）ａ−Ｏ−ＯＣ−Ａｒ−ＣＯ−］ｄ
（ＩＩ）      −［（ＯＣＨＲ３−ＣＨＲ４）ｂ−Ｏ−ＯＣ−ｓＡｒ−ＣＯ−］ｅ
（ＩＩＩ）    −［（ＯＣＨＲ５−ＣＨＲ６）ｃ−ＯＲ７］ｆ
式中、
ａ、ｂ、及びｃは、１〜２００であり、
ｄ、ｅ、及びｆは、１〜５０であり、
Ａｒは、１，４−置換フェニレンであり、
ｓＡｒは、位置５をＳＯ３Ｍｅにより置換された、１，３−置換フェニレンであり；
Ｍｅは、Ｌｉ、Ｋ、Ｍｇ／２、Ｃａ／２、Ａｌ／３、アンモニウム、モノ−、ジ−、トリ−、若しくはテトラアルキルアンモニウム（アルキル基は、Ｃ１〜Ｃ１８アルキル又はＣ２〜Ｃ１０ヒドロキシアルキルである）、又はこれらの混合物であり、
Ｒ１、Ｒ２、Ｒ３、Ｒ４、Ｒ５、及びＲ６は、独立して、Ｈ、又はＣ１〜Ｃ１８  ｎ−若しくはイソ−アルキルから選択され；
Ｒ７は、直鎖若しくは分枝鎖Ｃ１〜Ｃ１８アルキル、又は直鎖若しくは分枝鎖Ｃ２〜Ｃ３０アルケニル、又は炭素原子を５〜９個有するシクロアルキル基、又はＣ８〜Ｃ３０アリール基、又はＣ６〜Ｃ３０アリールアルキル基である。
【００５１】
好適な汚れ放出ポリマーは、Ｒｅｐｅｌ−ｏ−ｔｅｘポリマー（例えば、Ｒｈｏｄｉａにより供給されているＲｅｐｅｌ−ｏ−ｔｅｘ  ＳＦ、ＳＦ−２及びＳＲＰ６）などのポリエステル汚れ放出ポリマーである。他の好適な汚れ放出ポリマーとしては、Ｔｅｘｃａｒｅポリマー（例えば、Ｃｌａｒｉａｎｔにより供給されているＴｅｘｃａｒｅ  ＳＲＡ１００、ＳＲＡ３００、ＳＲＮ１００、ＳＲＮ１７０、ＳＲＮ２４０、ＳＲＮ３００及びＳＲＮ３２５など）が挙げられる。他の好適な汚れ放出ポリマーは、Ｍａｒｌｏｑｕｅｓｔポリマー（例えば、Ｓａｓｏｌにより供給されているＭａｒｌｏｑｕｅｓｔ  ＳＬなど）である。
【００５２】
セルロース系ポリマー−本発明の洗剤組成物はまた、アルキルセルロース、アルキルアルコキシルセルロース、カルボキシアルキルセルロース、アルキルカルボキシアルキルセルロースから選択されるものなどのセルロース系ポリマーを１つ以上含んでもよい。一態様では、セルロース系ポリマーは、カルボキシメチルセルロース、メチルセルロース、メチルヒドロキシエチルセルロース、メチルカルボキシメチルセルロース及びこれらの混合物を含む群から選択される。一態様では、カルボキシメチルセルロースは、０．５〜０．９のカルボキシメチル置換度と、１００，０００Ｄａ〜３００，０００Ｄａの分子量をと有する。
【００５３】
酵素：共粒子中に存在する酵素に加えて、洗剤組成物は、洗浄性能及び／又は布地ケアの利点を提供する１つ以上の追加的酵素を含んでもよい。好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、マンナナーゼ、ペクテートリアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ及びアミラーゼ、又はこれらの混合物が挙げられるが、これらに限定されない。典型的な組み合わせは、例えば、プロテアーゼ及びリパーゼをアミラーゼとともに含んでよい酵素カクテルである。本発明の洗剤組成物中に存在する場合、上述の追加的な酵素は、消費者製品の約０．００００１重量％〜約２重量％、約０．０００１重量％〜約１重量％、又は更には約０．００１重量％〜約０．５重量％の酵素タンパク質濃度で存在してよい。以下の詳細情報は、共粒子に組み込むのに好適な酵素、又はより一般的には共粒子を介さずに洗剤組成物に組み込むのに好適な酵素に関するものである。
【００５４】
一態様では、好ましい酵素としてはプロテアーゼが挙げられる。好適なプロテアーゼとしては、メタロプロテアーゼ及びセリンプロテアーゼが挙げられ、後者にはサブチリシン（ＥＣ  ３．４．２１．６２）などの、中性又はアルカリ性微生物セリンプロテアーゼが挙げられる。好適なプロテアーゼとしては、動物、植物又は微生物由来のものが挙げられる。一態様では、そのような好適なプロテアーゼは、微生物起源のものとすることができる。好適なプロテアーゼとしては、前述の好適なプロテアーゼの化学修飾又は遺伝子組み換えの突然変異体が挙げられる。一態様では、好適なプロテアーゼは、アルカリ性微生物プロテアーゼ又は／及びトリプシン型プロテアーゼなどのセリンプロテアーゼであり得る。好適な中性又はアルカリ性プロテアーゼの例としては、以下のものが挙げられる：
（ａ）サブチリシン（ＥＣ  ３．４．２１．６２）（バチルス・レンタス（Bacillus lentus）、バチルス・アルカロフィルス（B. alkalophilus）、バチルス・ズブチリス（B. subtilis）、バチルス・アミロリケファシエンス（B. amyloliquefaciens）、バチルス・プミルス（Bacillus pumilus）及びバチルス・ギブソニー（Bacillus gibsonii）などのバチルスから誘導されたものを含む）（米国特許第６，３１２，９３６（Ｂ１）号、同第５，６７９，６３０号、同第４，７６０，０２５号、同第７，２６２，０４２号及び国際公開第０９／０２１８６７号に記載）。
（ｂ）トリプシン（例えば、ブタ又はウシ由来）などのトリプシン型又はキモトリプシン型プロテアーゼ（国際公開第８９／０６２７０号に記述されているフサリウムプロテアーゼ、及び同第０５／０５２１６１号及び同第０５／０５２１４６号に記述されているセルロモナス（Cellumonas）に由来するキモトリプシンプロテアーゼを含む）。
（ｃ）メタロプロテアーゼ（国際公開第０７／０４４９９３（Ａ２）号に記述されているバチルス・アミロリケファシエンス（Bacillus amyloliquefaciens）から誘導されたものを含む）。
【００５５】
好ましいプロテアーゼとしては、バチルス・ギブソニー（Bacillus gibsonii）又はバチルス・レンタス（Bacillus Lentus）から誘導されるものが挙げられる。
【００５６】
好適な市販のプロテアーゼ酵素としては、Ｎｏｖｏｚｙｍｅｓ  Ａ／Ｓ（Ｄｅｎｍａｒｋ）より、Ａｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）及びＥｓｐｅｒａｓｅ（登録商標）の商品名で販売されているもの、Ｇｅｎｅｎｃｏｒ  Ｉｎｔｅｒｎａｔｉｏｎａｌより、Ｍａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）及びＰｕｒａｆｅｃｔ  ＯＸＰ（登録商標）の商品名で販売されているもの、Ｓｏｌｖａｙ  Ｅｎｚｙｍｅｓより、Ｏｐｔｉｃｌｅａｎ（登録商標）及びＯｐｔｉｍａｓｅ（登録商標）の商品名で販売されているもの、Ｈｅｎｋｅｌ／Ｋｅｍｉｒａより入手可能なもの、すなわちＢＬＡＰ（以下の変異Ｓ９９Ｄ＋Ｓ１０１Ｒ＋Ｓ１０３Ａ＋Ｖ１０４Ｉ＋Ｇ１５９Ｓを有する、米国特許第５，３５２，６０４号の図２９で示される配列、以下ＢＬＡＰという）、ＢＬＡＰ  Ｒ（Ｓ３Ｔ＋Ｖ４Ｉ＋Ｖ１９９Ｍ＋Ｖ２０５Ｉ＋Ｌ２１７Ｄを有するＢＬＡＰ）、ＢＬＡＰ  Ｘ（Ｓ３Ｔ＋Ｖ４Ｉ＋Ｖ２０５Ｉを有するＢＬＡＰ）及びＢＬＡＰ  Ｆ４９（Ｓ３Ｔ＋Ｖ４Ｉ＋Ａ１９４Ｐ＋Ｖ１９９Ｍ＋Ｖ２０５Ｉ＋Ｌ２１７Ｄを有するＢＬＡＰ）（全てＨｅｎｋｅｌ／Ｋｅｍｉｒａより入手可能）、並びに花王のＫＡＰ（突然変異体Ａ２３０Ｖ＋Ｓ２５６Ｇ＋Ｓ２５９Ｎを有するバチルス・アルカロフィルス（Bacillus alkalophilus）由来のサブチリシン）が挙げられる。
【００５７】
好適なアルファ−アミラーゼとしては、細菌又は真菌由来のものが挙げられる。化学的又は遺伝子学的に改変された変異型（変異体）が含まれる。好ましいアルカリ性α−アミラーゼは、バチルス（Bacillus）の菌種、例えば、バチルス・リケニフォルミス（Bacillus licheniformis）、バチルス・アミロリケファシエンス（Bacillus amyloliquefaciens）、バチルス・ステアロサーモフィルス（Bacillus stearothermophilus）、バチルス・サブチルス（Bacillus subtilis）、又は他のバチルス（Bacillus）属、例えばバチルス（Bacillus）属ＮＣＩＢ  １２２８９、ＮＣＩＢ  １２５１２、ＮＣＩＢ  １２５１３、ＤＳＭ  ９３７５（米国特許第７，１５３，８１８号）、ＤＳＭ  １２３６８、ＤＳＭＺ  ｎｏ．１２６４９、ＫＳＭ  ＡＰ１３７８（国際公開第９７／００３２４号）、ＫＳＭ  Ｋ３６又はＫＳＭ  Ｋ３８（欧州特許第１，０２２，３３４号）に由来する。好ましいアミラーゼには次のものが挙げられる。
（ａ）国際公開第９４／０２５９７号、同第９４／１８３１４号、同第９６／２３８７４号、及び同第９７／４３４２４号に記載の変異体、特に、国際公開第９６／２３８７４号の配列番号２として記載の酵素に対して、位置：１５、２３、１０５、１０６、１２４、１２８、１３３、１５４、１５６、１８１、１８８、１９０、１９７、２０２、２０８、２０９、２４３、２６４、３０４、３０５、３９１、４０８及び４４４のうちの１つ以上が置換された変異体。
（ｂ）米国特許第５，８５６，１６４号及び国際公開第９９／２３２１１号、同第９６／２３８７３号、同第００／６００６０号、及び同第０６／００２６４３号に記載の変異体、特に国際公開第０６／００２６４３号で配列番号１２として記載のＡＡ５６０酵素に対して、位置：２６、３０、３３、８２、３７、１０６、１１８、１２８、１３３、１４９、１５０、１６０、１７８、１８２、１８６、１９３、２０３、２１４、２３１、２５６、２５７、２５８、２６９、２７０、２７２、２８３、２９５、２９６、２９８、２９９、３０３、３０４、３０５、３１１、３１４、３１５、３１８、３１９、３３９、３４５、３６１、３７８、３８３、４１９、４２１、４３７、４４１、４４４、４４５、４４６、４４７、４５０、４６１、４７１、４８２、４８４のうちの１つ以上が置換された変異体であって、好ましくはＤ１８３＊及びＧ１８４＊の欠損を含有する変異体。
（ｃ）国際公開第０６／００２６４３号での配列番号４（バチルス属７２２からの野生型酵素）と少なくとも９０％の同一性を示し、特に位置１８３及び１８４で欠損を有する変異体、並びに本明細書に参照により組み込まれる国際公開第００／６００６０号に記載の変異体。
（ｄ）バチルス（Bacillus）属７０７（米国特許第６，０９３，５６２号の配列番号７）からの野生型酵素と少なくとも９５％の同一性を示す変異体、特に以下の変異Ｍ２０２、Ｍ２０８、Ｓ２５５、Ｒ１７２及び／又はＭ２６１を１つ以上含むもの。好ましくはこのアミラーゼは、Ｍ２０２Ｌ、Ｍ２０２Ｖ、Ｍ２０２Ｓ、Ｍ２０２Ｔ、Ｍ２０２Ｉ、Ｍ２０２Ｑ、Ｍ２０２Ｗ、Ｓ２５５Ｎ及び／又はＲ１７２Ｑのうちの１つ以上を含む。特に好ましいのは、Ｍ２０２Ｌ又はＭ２０２Ｔ突然変異を含むものである。
【００５８】
好適な市販のα−アミラーゼとしては、ＤＵＲＡＭＹＬ（登録商標）、ＬＩＱＵＥＺＹＭＥ（登録商標）、ＴＥＲＭＡＭＹＬ（登録商標）、ＴＥＲＭＡＭＹＬ  ＵＬＴＲＡ（登録商標）、ＮＡＴＡＬＡＳＥ（登録商標）、ＳＵＰＲＡＭＹＬ（登録商標）、ＳＴＡＩＮＺＹＭＥ（登録商標）、ＳＴＡＩＮＺＹＭＥ  ＰＬＵＳ（登録商標）、ＦＵＮＧＡＭＹＬ（登録商標）及びＢＡＮ（登録商標）（Ｎｏｖｏｚｙｍｅｓ  Ａ／Ｓ、Ｂａｇｓｖａｅｒｄ、Ｄｅｎｍａｒｋ）、ＫＥＭＺＹＭ（登録商標）ＡＴ  ９０００（Ｂｉｏｚｙｍ  Ｂｉｏｔｅｃｈ  Ｔｒａｄｉｎｇ  ＧｍｂＨ，Ｗｅｈｌｉｓｔｒａｓｓｅ  ２７ｂ  Ａ−１２００  Ｗｉｅｎ  Ａｕｓｔｒｉａ）、ＲＡＰＩＤＡＳＥ（登録商標）、ＰＵＲＡＳＴＡＲ（登録商標）、ＥＮＺＹＳＩＺＥ（登録商標）、ＯＰＴＩＳＩＺＥ  ＨＴ  ＰＬＵＳ（登録商標）及びＰＵＲＡＳＴＡＲ  ＯＸＡＭ（登録商標）（Ｇｅｎｅｎｃｏｒ  Ｉｎｔｅｒｎａｔｉｏｎａｌ  Ｉｎｃ．（Ｐａｌｏ  Ａｌｔｏ，Ｃａｌｉｆｏｒｎｉａ））及びＫＡＭ（登録商標）（花王：日本、１０３−８２１０、東京都中央区日本橋茅場町１丁目１４番１０号）が挙げられる。一態様では、好適なアミラーゼとしては、ＮＡＴＡＬＡＳＥ（登録商標）、ＳＴＡＩＮＺＹＭＥ（登録商標）及びＳＴＡＩＮＺＹＭＥ  ＰＬＵＳ（登録商標）、並びにこれらの混合物が挙げられる。
【００５９】
一態様では、このような酵素は、米国特許第６，９３９，７０２（Ｂ１）号及び米国特許出願第２００９／０２１７４６４号に記載されるもののような「第１洗浄用リパーゼ」を含むリパーゼからなる群から選択されてよい。一態様では、リパーゼは第１洗浄用リパーゼであり、好ましくはＴ２３１Ｒ及びＮ２３３Ｒ変異を含む、サーモマイセス・ラヌギノサス（Thermomyces lanuginosus）由来の野生型リパーゼの変異体である。野生型配列は、Ｓｗｉｓｓ−ｐｒｏｔの受け入れ番号Ｓｗｉｓｓ−Ｐｒｏｔ  Ｏ５９９５２の、（サーモマイセス・ラヌギノサス（Thermomyces lanuginosus）（フミコラ・ラヌギノサ（Humicola lanuginosa））由来の）２６９個のアミノ酸（アミノ酸２３〜２９１）である。好ましいリパーゼとしては、商品名Ｌｉｐｅｘ（登録商標）及びＬｉｐｏｌｅｘ（登録商標）で販売されているものが挙げられる。
【００６０】
一態様では、他の好ましい酵素としては、７，１４１，４０３（Ｂ２）の配列番号２のアミノ酸配列と少なくとも９０％、９４％、９７％及び更には９９％の同一性を有し、バチルス（Bacillus）属のメンバーに対しエンド−β−１，４−グルカナーゼ活性（Ｅ．Ｃ．３．２．１．４）を呈する、微生物から誘導されたエンドグルカナーゼ（例えばバクテリアの内因性ポリペプチド）、及びこれらの混合物が挙げられる。好適なエンドグルカナーゼは、商品名Ｃｅｌｌｕｃｌｅａｎ（登録商標）及びＷｈｉｔｅｚｙｍｅ（登録商標）（Ｎｏｖｏｚｙｍｅｓ  Ａ／Ｓ（Ｂａｇｓｖａｅｒｄ，Ｄｅｎｍａｒｋ））で販売されている。
【００６１】
その他の好ましい酵素としては、Ｐｅｃｔａｗａｓｈ（登録商標）、Ｐｅｃｔａｗａｙ（登録商標）、Ｘｐｅｃｔ（登録商標）（いずれもＮｏｖｏｚｙｍｅｓ  Ａ／Ｓ（Ｂａｇｓｖａｅｒｄ，Ｄｅｎｍａｒｋ））の商品名で販売されているペクチン酸リアーゼ、並びに、Ｍａｎｎａｗａｙ（登録商標）（Ｎｏｖｏｚｙｍｅｓ  Ａ／Ｓ（Ｂａｇｓｖａｅｒｄ，Ｄｅｎｍａｒｋ））、及びＰｕｒａｂｒｉｔｅ（登録商標）（Ｇｅｎｅｎｃｏｒ  Ｉｎｔｅｒｎａｔｉｏｎａｌ  Ｉｎｃ．（Ｐａｌｏ  Ａｌｔｏ，Ｃａｌｉｆｏｒｎｉａ））の商品名で販売されているマンナナーゼが挙げられる。
【００６２】
漂白剤：本発明の洗剤組成物は１つ以上の漂白剤を含んでよい。漂白触媒以外の適切な漂白剤としては、光漂白剤、漂白活性化剤、過酸化水素、過酸化水素源、予備形成過酸、及びこれらの混合物が挙げられる。一般に、漂白剤を使用する場合には、本発明の洗剤組成物は、対象となる消費者製品の約０．１重量％〜約５０重量％、又は更には約０．１重量％〜約２５重量％の漂白剤を含み得る。適切な漂白剤の例としては、以下のものが挙げられる。
（１）光漂白剤、例えば、スルホン化亜鉛フタロシアニン、スルホン化アルミニウムフタロシアニン、キサンテン染料、及びこれらの混合物。
（２）予備形成済み過酸：適切な予備形成済み過酸としては、過カルボン酸及び塩、過炭酸及び塩、ペルイミド酸及び塩、ペルオキシ一硫酸及び塩（例えばＯｘｏｎｅ（登録商標）など）、並びに、これらの混合物からなる群から選択される化合物が挙げられるが、これらに限らない。好適な過カルボン酸類としては、化学式Ｒ−（Ｃ＝Ｏ）Ｏ−Ｏ−Ｍ［式中、Ｒはアルキル基であり、所望により分岐しており、過酸が疎水性の場合には、６〜１４個の炭素原子、又は８〜１２個の炭素原子を有し、過酸が親水性の場合には、６個未満の炭素原子、又は更には４個未満の炭素原子を有し、Ｍは、対イオン（例えば、ナトリウム、カリウム又は水素）である］を有する疎水性及び親水性過酸類が挙げられる。事前形成されたペルオキシ酸又はその塩は、好ましくは、ペルオキシカルボン酸又はその塩であり、典型的に、以下の化学式に対応する化学構造を有する。
【００６３】
【化１】
2015528828.tif 000002
式中、Ｒ１４は、アルキル、アラルキル、シクロアルキル、アリール、又は複素環基から選択され、Ｒ１４基は、直鎖又は分枝鎖、置換又は非置換であることができ、Ｙは、電気的中性を達成する任意の好適な対イオンであり、好ましくは、Ｙは、水素、ナトリウム、又はカリウムから選択される。好ましくは、Ｒ１４は、直鎖又は分枝鎖、置換又は非置換Ｃ６〜１４アルキルである。過酸が疎水性であるときは、好ましくは、Ｒ１４が６〜１４の炭素原子、又は８〜１２の炭素原子を有し、過酸が疎水性であるときは、好ましくは、Ｒ１４が６を下回る炭素原子又は更には４を下回る炭素原子を有する。好ましくは、ペルオキシ酸又はその塩は、ペルオキシヘキサン酸、ペルオキシヘプタン酸、ペルオキシオクタン酸、ペルオキシノナン酸、ペルオキシデカン酸、任意のその塩、又は任意のこれらの組み合わせから選択される。特に好ましいペルオキシ酸は、フタルイミドペルオキシアルカン酸、特にε−フタルイミドペルオキシヘキサン酸（ＰＡＰ）である。好ましくは、ペルオキシ酸又はその塩は、３０℃〜６０℃の範囲の融点を有する。
【００６４】
事前形成されたペルオキシ酸又はその塩はまた、ペルオキシスルホン酸又はその塩とすることができ、典型的に、以下の化学式に対応する化学構造を有する。
【００６５】
【化２】
2015528828.tif 000003
式中、Ｒ１５は、アルキル、アラルキル、シクロアルキル、アリール、又は複素環基から選択され、Ｒ１５基は、直鎖又は分枝鎖、置換又は非置換であることができ、Ｚは、電気的中性を達成する任意の好適な対イオンであり、好ましくは、Ｚは、水素、ナトリウム、又はカリウムから選択される。好ましくは、Ｒ１５は、直鎖又は分枝鎖、置換又は非置換Ｃ６〜９アルキルである。好ましくは、このような漂白組成物は、本発明の組成物中に０．０１〜５０％、最も好ましくは０．１％〜２０％の量で存在してもよい。
【００６６】
（３）アルカリ金属塩、例えば、過ホウ酸塩（通常は、一又は四水和物）、過炭酸塩、過硫酸塩、過リン酸塩、過ケイ酸塩、及びこれらの混合物のナトリウム塩を含む、過酸化水素供給源（例えば、無機過酸化水素化塩類）。本発明の一態様では、無機過酸化水素化塩類は、過ホウ酸塩、過炭酸塩、及びこれらの混合物のナトリウム塩からなる群から選択される。使用する場合、無機過水和物塩は、典型的には、布地ケア製品及びホームケア製品全体の０．０５〜４０重量％、又は１〜３０重量％の量で存在し、典型的にはコーティングされ得る結晶質の固体として布地ケア製品及びホームケア製品に組み込まれる。好適なコーティングとしては、無機塩（アルカリ金属ケイ酸塩、炭酸塩若しくはホウ酸塩、又はこれらの混合物など）、又は有機物質（水溶性若しくは分散性ポリマー、ワックス、油又は脂肪石鹸など）が挙げられる。
【００６７】
（４）Ｒ−（Ｃ＝Ｏ）−Ｌ（式中、Ｒはアルキル基であり、所望により分枝状であり、漂白活性化剤が疎水性の場合には、６〜１４個の炭素原子、又は８〜１２個の炭素原子を有し、漂白活性化剤が親水性の場合、６個未満の炭素原子、又は更には４個未満の炭素原子を有し、Ｌは脱離基である）を有する漂白活性化剤。好適な脱離基の例は、安息香酸及びそれらの誘導体、特にベンゼンスルホネートである。好適な漂白活性化剤としては、ドデカノイルオキシベンゼンスルホネート、デカノイルオキシベンゼンスルホネート、デカノイルオキシ安息香酸又はその塩、３，５，５−トリメチルヘキサノイルオキシベンゼンスルホネート、テトラアセチルエチレンジアミン（ＴＡＥＤ）及びノナノイルオキシベンゼンスルホネート（ＮＯＢＳ）が挙げられる。好適な漂白活性化剤はまた、国際公開第９８／１７７６７号に開示されている。いかなる好適な漂白活性化剤を使用してもよいが、本発明の一態様では、本消費者製品は、ＮＯＢＳ、ＴＡＥＤ又はこれらの混合物を含んでもよい。
【００６８】
存在する場合、過酸及び／又は漂白活性剤は、概して、布地ケア製品及びホームケア製品に基づき約０．１〜約６０重量％、約０．５〜約４０重量％、又は更には約０．６〜約１０重量％の量で消費者製品中に存在する。１つ以上の疎水性過酸又はそれらの前駆体は、１つ以上の親水性過酸又はそれらの前駆体と組み合わせて使用してもよい。
【００６９】
過酸化水素源及び過酸又は漂白活性化剤の量は、有効酸素（過酸化物源からのもの）と過酸とのモル比が１：１〜３５：１、又は更には２：１〜１０：１になるように選択してもよい。
【００７０】
（５）有機漂白触媒−本発明の洗剤組成物はまた、ペルオキシ酸及び／又はその塩から酸素原子を受け取り、その酸素原子を酸化可能な基質に移送することができる漂白触媒を１つ以上含んでもよい。好適な漂白触媒としては、米国特許出願第２００７／０１７３４３０（Ａ１）号に記載されているように、イミニウムカチオン及びポリイオン、イミニウム双性イオン、修飾されたアミン、修飾されたアミンオキシド、Ｎ−スルホニルイミン、Ｎ−ホスホニルイミン、Ｎ−アシルイミン、チアジアゾールジオキシド、ペルフルオロイミン、環状糖ケトン、並びにこれらの混合物が挙げられるが、これらに限定されない。
【００７１】
一態様では、漂白触媒は、以下の一般式に対応する構造を有する。
【００７２】
【化３】
2015528828.tif 000004
式中、Ｒ１３は、２−エチルヘキシル、２−プロピルへプチル、２−ブチルオクチル、２−ペンチルノニル、２−ヘキシルデシル、ｎ−ドデシル、ｎ−テトラデシル、ｎ−ヘキサデシル、ｎ−オクタデシル、イソ−ノニル、イソ−デシル、イソ−トリデシル及びイソ−ペンタデシルである。
【００７３】
（６）金属系漂白触媒−漂白成分は、触媒金属錯体によって提供されてもよい。金属含有漂白触媒の１つの種類は、銅、鉄、チタン、ルテニウム、タングステン、モリブデン、又はマンガンのカチオンのような、漂白触媒活性の限定された遷移金属陽イオン、亜鉛又はアルミニウムのカチオンのような、漂白触媒活性をほとんど又は全く有さない補助金属カチオン、並びに触媒金属及び補助金属のカチオンに対して限定された安定度定数を有する金属イオン封鎖剤、特にエチレンジアミン四酢酸、エチレンジアミンテトラ（メチレンホスホン酸）及びそれらの水溶性の塩類を含む触媒系である。このような触媒は、米国特許第４，４３０，２４３号に開示されている。好ましい触媒は、国際公開第０９／８３９４０６号、米国特許第６２１８３５１号、及び国際公開００／０１２６６７号に記載されている。遷移金属触媒又はリガンド、すなわち架橋多座Ｎドナーリガンドが、特に好ましい。
【００７４】
所望する場合、本明細書の組成物はマンガン化合物を用いて触媒可能である。このような化合物及び使用濃度は当該技術分野で周知であり、例えば、米国特許第５，５７６，２８２号に開示されるマンガン系触媒が挙げられる。
【００７５】
本明細書において有用なコバルト漂白触媒は既知であり、例えば、米国特許第５，５９７，９３６号、米国特許第５，５９５，９６７号に記載されている。そのようなコバルト触媒は、例えば米国特許第５，５９７，９３６号及び同第５，５９５，９６７号の教示のように、既知の手順により容易に調製される。
【００７６】
本明細書の組成物はまた、配位子の遷移金属錯体（例えば、ビスピドン（米国特許第７，５０１，３８９号）及び／又は大多環状剛性配位子（「ＭＲＬ」と略される）を適切に含んでもよい。実際問題として、限定するためではないが、本明細書の組成物及び方法は、水性洗浄媒体において、少なくとも１億分の１のオーダーの活性ＭＲＬ種を提供するように調整することができ、通常、約０．００５ｐｐｍ〜約２５ｐｐｍ、約０．０５ｐｐｍ〜約１０ｐｐｍ、又は更には約０．１ｐｐｍ〜約５ｐｐｍのＭＲＬを洗浄溶液中に提供する。
【００７７】
本遷移金属漂白触媒における好適な遷移金属としては、例えばマンガン、鉄及びクロムが挙げられる。好適なＭＲＬとしては、５，１２−ジエチル−１，５，８，１２−テトラアザビシクロ［６．６．２］ヘキサデカンが挙げられる。
【００７８】
適した遷移金属ＭＲＬは、既知の手順、例えば、米国特許第６，２２５，４６４号及び国際公開第００／３２６０１号に教示されているような手順によって容易に調製される。
【００７９】
界面活性剤−本発明による洗剤組成物は、界面活性剤又は界面活性剤系を含んでよく、界面活性剤は、非イオン性界面活性剤、アニオン性界面活性剤、カチオン性界面活性剤、両性界面活性剤、双極性界面活性剤、半極性非イオン性界面活性剤及びこれらの混合物から選択され得る。存在する場合、界面活性剤は、典型的には、本消費者製品の約０．１重量％〜約６０重量％、約１重量％〜約５０重量％、又は更には約５重量％〜約４０重量％の濃度で存在する。
【００８０】
好適なアニオン性洗浄界面活性剤としては、サルフェート洗浄界面活性剤及びスルホネート洗浄界面活性剤が挙げられる。好適なスルホネート洗浄界面活性剤としては、一態様では、Ｃ１０〜１３アルキルベンゼンスルホネートなどの、アルキルベンゼンスルホネートが挙げられる。好適なアルキルベンゼンスルホネート（ＬＡＳ）は、市販の直鎖アルキルベンゼン（ＬＡＢ）をスルホン化することによって得ることができ、好適なＬＡＢとしては、Ｓａｓｏｌにより商品名Ｉｓｏｃｈｅｍ（登録商標）で供給されているもの、又はＰｅｔｒｅｓａにより商品名Ｐｅｔｒｅｌａｂ（登録商標）で供給されているものなどの、低級２−フェニルＬＡＢが挙げられ、他の好適なＬＡＢとしては、Ｓａｓｏｌにより商品名Ｈｙｂｌｅｎｅ（登録商標）で供給されているものなどの、高級２−フェニルＬＡＢが挙げられる。好適なアニオン性洗浄界面活性剤は、ＤＥＴＡＬ触媒方法によって得られるアルキルベンゼンスルホネートであるが、ＨＦなどの他の合成経路もまた好適な場合がある。好適なサルフェート洗浄界面活性剤としては、アルキルサルフェート、一態様では、Ｃ８〜１８アルキルサルフェート、又は主にＣ１２アルキルサルフェートが挙げられる。別の好適なサルフェート洗浄界面活性剤は、アルキルアルコキシル化サルフェートであり、一態様ではアルキルエトキシル化サルフェートであり、一態様ではＣ８〜１８アルキルアルコキシル化サルフェートであり、別の態様ではＣ８〜１８アルキルエトキシル化サルフェートであり、典型的にはアルキルアルコキシル化サルフェートは、０．５〜２０、又は０．５〜１０の平均アルコキシル化度を有し、典型的にはアルキルアルコキシル化サルフェートは、０．５〜１０、０．５〜７、０．５〜５、又は更には０．５〜３の平均エトキシル化度を有するＣ８〜１８アルキルエトキシル化サルフェートである。アルキルサルフェート、アルキルアルコキシル化サルフェート及びアルキルベンゼンスルホネートは、直鎖又は分枝鎖であってもよく、置換又は非置換であってもよい。
【００８１】
洗浄界面活性剤は、中鎖分枝状洗浄界面活性剤であってもよく、一態様では中鎖分枝状アニオン性洗浄界面活性剤であり、一態様では中鎖分枝状アルキルサルフェート及び／又は中鎖分枝状アルキルベンゼンスルホネート、例えば、中鎖分枝状アルキルスルホネートである。一態様では、中鎖分枝は、Ｃ１〜４アルキル基、典型的にはメチル及び／又はエチル基である。
【００８２】
好適な非イオン性洗浄界面活性剤は、Ｓｈｅｌｌ製のＮＥＯＤＯＬ（登録商標）非イオン性界面活性剤などのＣ８〜Ｃ１８アルキルエトキシレート；アルコキシレート単位がエチレンオキシ単位、プロピレンオキシ単位又はこれらの混合物であり得る、Ｃ６〜Ｃ１２アルキルフェノールアルコキシレート；ＢＡＳＦ製のＰｌｕｒｏｎｉｃ（登録商標）などの、エチレンオキシド／プロピレンオキシドブロックポリマーとの、Ｃ１２〜Ｃ１８アルコール縮合物及びＣ６〜Ｃ１２アルキルフェノール縮合物；Ｃ１４〜Ｃ２２分枝状アルコール；典型的には１〜３０のアルコキシル化度を有するＣ１４〜Ｃ２２中鎖分枝状アルキルアルコキシレート；アルキル多糖、一態様ではアルキルポリグルコシド；ポリヒドロキシ脂肪酸アミド；エーテル末端保護ポリ（オキシアルキル化）アルコール界面活性剤；並びにこれらの混合物からなる群から選択される。好適な非イオン性洗浄界面活性剤としては、アルキルポリグルコシド及び／又はアルキルアルコキシル化アルコールが挙げられる。一態様では、非イオン性洗浄界面活性剤としては、アルキルアルコキシル化アルコール、一態様ではＣ８〜１８アルキルアルコキシル化アルコール、例えば、Ｃ８〜１８アルキルエトキシル化アルコールが挙げられ、このアルキルアルコキシル化アルコールは、１〜５０、１〜３０、１〜２０、又は１〜１０の平均アルコキシル化度を有し得る。一態様では、このアルキルアルコキシル化アルコールは、１〜１０、又は１〜７、更には１〜５、又は３〜７の平均エトキシル化度を有する、Ｃ８〜１８アルキルエトキシル化アルコールであってもよい。アルキルアルコキシル化アルコールは、直鎖又は分枝鎖であってもよく、置換又は非置換であってもよい。
【００８３】
好適なカチオン性洗浄性界面活性剤としては、アルキルピリジニウム化合物、アルキル四級アンモニウム化合物、アルキル四級ホスホニウム化合物、アルキル三級スルホニウム化合物、及びこれらの混合物が挙げられる。好適なカチオン性洗浄界面活性剤は、次の一般式を有する第四級アンモニウム化合物である。
（Ｒ）（Ｒ１）（Ｒ２）（Ｒ３）Ｎ＋Ｘ−
式中、Ｒは直鎖又は分枝鎖、置換又は非置換の、Ｃ６〜１８アルキル又はアルケニル部分であり、Ｒ１及びＲ２は、独立して、メチル又はエチル部分から選択され、Ｒ３は、ヒドロキシル、ヒドロキシメチル、又はヒドロキシエチル部分であり、Ｘは、電気的中性を提供するアニオンであり、好適なアニオンとしては、例えば、塩化物といったハロゲン化物、サルフェート、及びスルホネートが挙げられる。好適なカチオン性洗浄界面活性剤は、モノＣ６〜１８アルキルモノヒドロキシエチルジメチル四級アンモニウムクロリドである。非常に好適なカチオン性洗浄界面活性剤は、モノ−Ｃ８〜１０アルキルモノヒドロキシエチルジメチル四級アンモニウムクロリド、モノ−Ｃ１０〜１２アルキルモノヒドロキシエチルジメチル四級アンモニウムクロリド、及びモノ−Ｃ１０アルキルモノヒドロキシエチルジメチル四級アンモニウムクロリドである。
【００８４】
キレート剤：本明細書の洗剤組成物は、キレート剤を含有してもよい。好適なキレート剤としては、銅、鉄及び／又はマンガンキレート剤、並びにこれらの混合物が挙げられる。キレート剤を使用する場合、本消費者製品は、本消費者製品の約０．００５重量％〜約１５重量％、又は更には約３．０重量％〜約１０重量％のキレート剤を含み得る。好適なキレート剤としては、ＤＴＰＡ（ジエチレントリアミン五酢酸）、ＨＥＤＰ（ヒドロキシエタンジホスホン酸）、ＤＴＰＭＰ（ジエチレントリアミンペンタ（メチレンホスホン酸））、１，２−ジヒドロキシベンゼン−３，５−ジスルホン酸二ナトリウム塩水和物、エチレンジアミン、ジエチレントリアミン、エチレンジアミン二コハク酸（ＥＤＤＳ）、Ｎ−ヒドロキシエチルエチレンジアミン三酢酸（ＨＥＤＴＡ）、トリエチレンテトラアミン六酢酸（ＴＴＨＡ）、Ｎ−ヒドロキシエチルイミノ二酢酸（ＨＥＩＤＡ）、ジヒドロキシエチルグリシン（ＤＨＥＧ）、エチレンジアミンテトラプロピオン酸（ＥＤＴＰ）、及びこれらの誘導体が挙げられる。
【００８５】
移染防止剤：本発明の洗剤組成物はまた、１つ以上の移染防止剤を含んでもよい。好適な高分子移染防止剤としては、ポリビニルピロリドンポリマー、ポリアミンＮ−オキシドポリマー、Ｎ−ビニルピロリドンとＮ−ビニルイミダゾールのコポリマー、ポリビニルオキサゾリドン及びポリビニルイミダゾール又はこれらの混合物が挙げられるが、これらに限定されない。本消費者製品中に存在する場合、移染防止剤は、消費者製品の約０．０００１重量％〜約１０重量％、約０．０１重量％〜約５重量％、又は更には約０．１重量％〜約３重量％の濃度で存在し得る。
【００８６】
増白剤：本発明の洗剤組成物は、洗浄される物品に色付けることのできる追加成分（蛍光増白剤など）も含有することができる。
【００８７】
組成物は、Ｃ．Ｉ．蛍光増白剤２６０を、以下の構造を有するα−結晶質形態で、含み得る。
【００８８】
【化４】
2015528828.tif 000005
【００８９】
一態様において、増白剤は、α−結晶質形態のＣ．Ｉ．蛍光増白剤２６０などの冷水可溶性増白剤である。
【００９０】
一態様では、増白剤は、主にα−結晶質形態にあり、これは、典型的には少なくとも５０重量％、少なくとも７５重量％、少なくとも９０重量％、少なくとも９９重量％、又は更には実質的に全てのＣ．Ｉ．蛍光増白剤２６０がα−結晶質形態にあることを意味する。増白剤は、典型的には、３〜３０マイクロメートル、３マイクロメートル〜２０マイクロメートル、又は３〜１０マイクロメートルの範囲内の重量平均一次粒径を有する、微粉化粒子形態にすることができる。
【００９１】
組成物は、β−結晶質形態のＣ．Ｉ．蛍光増白剤２６０を含んでもよく、（ｉ）α−結晶質形態のＣ．Ｉ．蛍光増白剤２６０の、（ｉｉ）β−結晶質形態のＣ．Ｉ．蛍光増白剤２６０に対する、重量比率は、少なくとも０．１又は少なくとも０．６であり得る。ベルギー特許第６８０８４７号は、α−結晶質形態のＣ．Ｉ．蛍光増白剤２６０の製造プロセスに関する。
【００９２】
好適な蛍光増白剤濃度としては、約０．０１重量％、約０．０５重量％、約０．１重量％、又は更には約０．２重量％の低い濃度から、０．５重量％若しくは更には０．７５重量％の高い濃度までが挙げられる。
【００９３】
ケイ酸塩−本発明の洗剤組成物はまた、ケイ酸ナトリウム又はケイ酸カリウムなどのケイ酸塩を含有することができる。組成物は、０重量％〜１０重量％未満、９重量％以下又は８重量％以下又は７重量％以下又は６重量％以下又は５重量％以下又は４重量％以下又は３重量％以下又は更には２重量％以下のケイ酸塩、好ましくは０重量％超又は５重量％以上、又は更には１重量％以上のケイ酸塩を含み得る。好適なケイ酸塩は、ケイ酸ナトリウムである。
【００９４】
分散剤−本発明の消費者製品はまた、分散剤を含有することができる。好適な水溶性有機物質としては、ホモポリマー又はコポリマーの酸又はそれらの塩が挙げられ、ポリカルボン酸は、互いに炭素原子２個を超えない程度に離れている少なくとも２個のカルボキシルラジカルを含む。
【００９５】
酵素安定剤−洗剤組成物中で使用する酵素は、多様な技術で安定化させることができる。本明細書に用いられる酵素は、カルシウムイオン及び／又はマグネシウムイオンを酵素に供給する最終布地ケア製品及びホームケア製品中に、それらのイオンの水溶性供給源を存在させることよって安定化させることができる。プロテアーゼを含む洗剤組成物の場合、可逆性プロテアーゼ阻害剤（ホウ素化合物など）又は化合物（ギ酸カルシウム、ギ酸ナトリウム及び１，２−プロパンジオールなど）を加えて更に安定性を改善することができる。
【００９６】
溶媒−好適な溶媒としては、水及び他の溶媒（例えば、親油性流体）が挙げられる。好適な親油性流体の例としては、シロキサン、その他のシリコーン、炭化水素、グリコールエーテル、例えばグリセリンエーテルなどのグリセリン誘導体、ペルフルオロ化アミン、ペルフルオロ化及びハイドロフルオロエーテル溶媒、低揮発性の非フッ素化有機溶媒、ジオール溶媒、環境に優しいその他の溶媒、並びにこれらの混合物が挙げられる。
【００９７】
洗剤組成物を作製するプロセス
本発明の洗剤組成物は、好ましくは、粒子形態であり、必要に応じて、上述の単位用量洗剤組成物に組み込まれた粒子である。
【００９８】
使用方法
本発明は、表面、好ましくは布地表面の処理及び／又はクリーニング方法であって、（ｉ）水性洗浄液中で該表面を請求項１〜１１のいずれか一項に記載の組成物に接触させる工程と、（ｉｉ）その表面をすすぐ及び／又は乾燥させる工程と、を含み、好ましくは水性液の温度が５〜２５℃であり、好ましくは水性液が０．１ｇ／Ｌ〜３ｇ／Ｌの界面活性剤を含む、方法を含む。
【００９９】
共粒子の実施例１
酵素共粒子は、米国特許出願第２００８／０２０６８３０（Ａ１）号の実施例１に記載する方法により調製されるが、各粒子は、概説されるように、また下記の処方の実施例に記載する重量比で、酵素を含む。従って、酵素粒子には、酵素、ショ糖／でんぷん、及びマグネシウム硫酸塩七水和物のコア（相対重量比約６：６８：２７）、及びポリビニルアルコール、二酸化チタン、及び非イオン性界面活性剤（相対重量比約４０：５０：１０）を含むコーティングが含まれる。粒子中の酵素濃度は、約４０ｇ／ｋｇである。
【０１００】
処方の実施例１〜７
手洗い用又はトップローディング式洗濯機用に設計されている顆粒状洗濯洗剤組成物
【０１０１】
【表１】
2015528828.tif 000006
＊酵素は、共粒子の実施例１による共粒子を通じて添加された。
【０１０２】
実施例８〜１３
フロントローディング式自動洗濯機用に設計されている顆粒状洗濯洗剤組成物
【０１０３】
【表２】
2015528828.tif 000007
注：いずれの酵素濃度も、酵素原料の割合（％）として表されている。
＊酵素は、共粒子の実施例１による共粒子を通じて添加された。
【０１０４】
上記の組成物のいずれかを用いて、水中濃度７０００〜１００００ｐｐｍ、２０〜９０ｏＣ及び水：布比５：１で布地を洗濯する。一般的なｐＨは約１０である。続いて、布地を乾燥する。一態様では、布地は、乾燥機を用いて能動的に乾燥する。一態様では、布地は、アイロンを用いて能動的に乾燥する。別の態様では、各布地が空気、任意に日光に暴露されるように布地を単に一列に並べて乾燥させる。
【０１０５】
実施例１〜２０の組成物の原料及び注記
平均脂肪属炭素鎖長Ｃ１１〜Ｃ１２の直鎖アルキルベンゼンスルホネート。
【０１０６】
ＡＥ３Ｓは、Ｃ１２〜１５アルキルエトキシ（３）スルフェートである。
【０１０７】
ＡＥ７は、７の平均エトキシル化度を有するＣ１２〜１５アルコールエトキシレートである。
【０１０８】
ＡＥ９は、９の平均エトキシル化度を有するＣ１２〜１３アルコールエトキシレートである。
【０１０９】
ＨＳＡＳは、炭素鎖長が約１６〜１７の、中鎖分枝状一級アルキルサルフェートである。
【０１１０】
キレート剤は、ジエチレントリアミン五酢酸（ＤＴＰＡ）、ヒドロキシエタンジホスホン酸ナトリウム（ＨＥＤＰ）又はナトリウムエチレンジアミン−Ｎ，Ｎ−ジこはく酸（Ｓ，Ｓ）異性体（ＥＤＤＳ）であってよい。
【０１１１】
Ｓａｖｉｎａｓｅ（登録商標）、Ｎａｔａｌａｓｅ（登録商標）、Ｓｔａｉｎｚｙｍｅ（登録商標）、Ｌｉｐｅｘ（登録商標）、Ｃｅｌｌｕｃｌｅａｎ（商標）、Ｍａｎｎａｗａｙ（登録商標）、及びＷｈｉｔｅｚｙｍｅ（登録商標）はいずれも、Ｎｏｖｏｚｙｍｅｓ（Ｂａｇｓｖａｅｒｄ，Ｄｅｎｍａｒｋ）の製品である。
【０１１２】
蛍光増白剤１はＴｉｎｏｐａｌ（登録商標）ＡＭＳ、蛍光増白剤２はＴｉｎｏｐａｌ（登録商標）ＣＢＳ−Ｘ、亜鉛スルホフタロシアニンである。
【０１１３】
ＮＯＢＳはノナノイルオキシベンゼンスルホン酸ナトリウムである。
【０１１４】
ＴＡＥＤはテトラアセチルエチレンジアミンである。
【０１１５】
汚れ放出剤は、Ｒｈｏｄｉａ（Ｐａｒｉｓ，Ｆｒａｎｃｅ）から供給されるＲｅｐｅｌ−ｏ−ｔｅｘ（登録商標）ＰＦである。
【０１１６】
アクリル酸／マレイン酸コポリマーは分子量７０，０００であり、アクリル酸塩：マレイン酸塩比は７０：３０である。
【０１１７】
ＨＳＡＳは、米国特許第６，０２０，３０３号及び同第６，０６０，４４３号で開示されているような中鎖分枝状アルキルサルフェートである。
【０１１８】
リキティント（Liquitint）（登録商標）バイオレットＣＴは、Ｍｉｌｌｉｋｅｎ（Ｓｐａｒｔａｎｂｕｒｇ，Ｓｏｕｔｈ  Ｃａｒｏｌｉｎａ，ＵＳＡ）から供給される。
【０１１９】
ランダムグラフトコポリマーは、ポリエチレンオキシド主鎖及び複数のポリビニルアセテート側鎖を有する、ポリビニルアセテートグラフト化ポリエチレンオキシドコポリマーである（分子量約６０００、ポリエチレンオキシドとポリビニルアセテートとの重量比は約４０：６０である）。
【０１２０】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示された寸法は、「約４０ｍｍ」を意味することを意図する。
【国際調査報告】
2015528828.tif 000008
2015528828.tif 000009
2015528828.tif 000010